(57)【要約】本開示は、ワイヤレスネットワークにおける適応アップリンク電力制御に向けられた方法、装置、およびシステムに関する。実施形態において、ＷＴＲＵは、ＷＴＲＵに割り当てられた最大伝送電力レベルを取得する。ＷＴＲＵは、アップリンク上でのＷＴＲＵによる送信のための送信の第１のグループおよび第２のグループを識別し、送信の第１のグループについての第１の初期の保証された電力レベル、および送信の第２のグループについての第２の初期の保証された電力レベルを決定し、ＷＴＲＵの１つまたは複数の以前のアクティビティ、およびＷＴＲＵに割り当てられた取得された最大伝送電力レベルに基づいて、第１の保証された電力レベルと第２の保証された電力レベルとの一方または両方を調整し、送信の第１のグループおよび第２のグループをそれぞれ少なくとも第１の保証された電力レベルおよび第２の保証された電力レベルで送信する。
2020523867.tif 000002
【特許請求の範囲】
【請求項１】
ワイヤレス送信／受信ユニット（ＷＴＲＵ）による複数の送信の間の電力割当の方法であって、
前記ＷＴＲＵに割り当てられた最大伝送電力レベルを取得するステップと、
前記ＷＴＲＵによるアップリンク送信のための送信の第１のグループおよび第２のグループを確立するステップと、
送信の前記第１のグループのための第１の初期の保証された電力レベル、および送信の前記第２のグループのための第２の初期の保証された電力レベルを決定するステップと、
前記ＷＴＲＵの１つまたは複数の以前のアクティビティ、および前記ＷＴＲＵに割り当てられた前記取得された最大伝送電力レベルに基づいて、前記第１の初期の保証された電力レベルおよび前記第２の初期の保証された電力レベルのうちの少なくとも１つを調整するステップと、
少なくとも前記第１の調整された保証された電力レベルにおいて送信の前記第１のグループを、および少なくとも前記第２の調整された保証された電力レベルにおいて送信の前記第２のグループを送信するステップと
を備えることを特徴とする方法。
【請求項２】
送信の前記第１のグループおよび送信の前記第２のグループの各々は、共通の送信特性を有する１つまたは複数の送信を含むことを特徴とする請求項１に記載の方法。
【請求項３】
前記共通の送信特性は、帯域幅部分（ＢＷＰ）、送信持続期間、送信時間間隔（ＴＴＩ）、ラウンドトリップ時間（ＲＴＴ）、物理送信リソースのセット、ヌメロロジー、変調および符号化方式（ＭＣＳ）テーブル、無線ネットワーク一時識別子（ＲＮＴＩ）、ならびに制御リソースセット（ＣＯＲＥＳＥＴ）のうちの少なくとも１つであることを特徴とする請求項２に記載の方法。
【請求項４】
前記調整するステップは、以前のスケジューリングアクティビティと１つまたは複数の以前の送信とのうちの少なくとも１つに基づいて、前記第１の初期の保証された電力レベルおよび前記第２の初期の保証された電力レベルのうちの少なくとも１つを調整するステップを含むことを特徴とする請求項１に記載の方法。
【請求項５】
前記調整するステップは、前記第１の調整された保証された電力および前記第２の調整された保証された電力が各々範囲内のままであるように制限されることを特徴とする請求項１に記載の方法。
【請求項６】
第１の初期の保証された電力レベルおよび第２の初期の保証された電力レベルを前記決定するステップは、ダウンリンク制御シグナリングで前記第１の初期の保証された電力レベルおよび第２の初期の保証された電力レベルを受信するステップを含むことを特徴とする請求項１に記載の方法。
【請求項７】
前記ダウンリンク制御シグナリングは、ダウンリンク制御情報（ＤＣＩ）およびメディアアクセス制御（ＭＡＣ）の制御要素（ＣＥ）のうちの少なくとも１つを含むことを特徴とする請求項６に記載の方法。
【請求項８】
前記調整するステップは、前記第１および第２の調整された保証された電力レベルの和が一定のままであるように、前記第１および第２の初期の保証された電力レベルを調整し、それによって前記第１および第２の調整された保証された電力レベルの前記和と、前記ＷＴＲＵに割り当てられた前記最大伝送電力レベルとの間の残りの電力レベルが一定のままであるステップを含むことを特徴とする請求項１に記載の方法。
【請求項９】
前記調整するステップは、前記第１および第２の調整された保証された電力レベルの和と、前記ＷＴＲＵに割り当てられた前記最大伝送電力レベルとの間の残りの電力が可変であるように、前記第１および第２の初期の保証された電力レベルを調整するステップを含むことを特徴とする請求項１に記載の方法。
【請求項１０】
前記第１の初期の保証された電力レベルを前記調整するステップは、（１）送信の前記第１のグループの送信のために以前に使用された電力レベル、および／または（２）前記送信の前記第１のグループのための制御リソースのセットについての以前に成功裏に復号されたダウンリンク制御情報（ＤＣＩ）の量のうちのいずれかの１つまたは複数の関数として、前記第１の初期の保証された電力レベルを調整するステップを含むことを特徴とする請求項１に記載の方法。
【請求項１１】
前記第１および第２の初期の保証された電力レベルの前記調整するステップは、前記ＷＴＲＵが、スケジューリングアクティビティとＤＣＩの受信とのうちのいずれかの１つまたは複数に基づいて、前記第１および第２の初期の保証された電力レベルを自律的に調整するステップを含むことを特徴とする請求項１に記載の方法。
【請求項１２】
送信の前記第１のグループにおける送信のためのすべての送信電力の和は、前記第１の調整された保証された電力レベルに等しく、送信の前記第２のグループにおける送信のためのすべての送信電力の和は、前記第２の調整された保証された電力レベルに等しいことを特徴とする請求項１に記載の方法。
【請求項１３】
前記第１および第２の調整された保証された電力レベルの和は、前記ＷＴＲＵに割り当てられた前記最大伝送電力レベル以下であることを特徴とする請求項１に記載の方法。
【請求項１４】
複数の送信の間に伝送電力を割当てるように適合されたワイヤレス送信受信ユニット（ＷＴＲＵ）であって、
トランスミッターと、
レシーバーと、
前記トランスミッターおよび前記レシーバーに結合されたプロセッサーと
を備え、前記プロセッサーは、
前記ＷＴＲＵに割り当てられた最大伝送電力レベルを取得し、
前記ＷＴＲＵによるアップリンク送信のための送信の第１のグループおよび第２のグループを確立し、
送信の前記第１のグループのための第１の初期の保証された電力レベル、および送信の前記第２のグループのための第２の初期の保証された電力レベルを決定し、
前記ＷＴＲＵの１つまたは複数の以前のアクティビティ、および前記ＷＴＲＵに割り当てられた前記取得された最大伝送電力レベルに基づいて、前記第１の初期の保証された電力レベルおよび前記第２の初期の保証された電力レベルのうちの少なくとも１つを調整し、
少なくとも前記第１の調整された保証された電力レベルにおいて送信の前記第１のグループを、および少なくとも前記第２の調整された保証された電力レベルにおいて送信の前記第２のグループを送信するために、前記トランスミッターを制御する
ように構成されることを特徴とするＷＴＲＵ。
【請求項１５】
送信の前記第１のグループおよび送信の前記第２のグループの各々は、共通の送信特性を有する１つまたは複数の送信を含むことを特徴とする請求項１４に記載のＷＴＲＵ。
【請求項１６】
前記共通の送信特性は、帯域幅部分（ＢＷＰ）、送信時間間隔（ＴＴＩ）、ラウンドトリップ時間（ＲＴＴ）、物理送信リソースのセット、および制御リソースセット（ＣＯＲＥＳＥＴ）のうちの少なくとも１つであることを特徴とする請求項１５に記載のＷＴＲＵ。
【請求項１７】
前記プロセッサーは、以前のスケジューリングアクティビティと１つまたは複数の以前の送信とのうちの少なくとも１つに基づいて、前記第１の初期の保証された電力レベルおよび前記第２の初期の保証された電力レベルのうちの少なくとも１つを調整するように構成されることを特徴とする請求項１４に記載のＷＴＲＵ。
【請求項１８】
前記プロセッサーは、前記第１の調整された保証された電力および前記第２の調整された保証された電力が各々範囲内のままであるように、前記第１の初期の保証された電力レベルおよび前記第２の初期の保証された電力レベルのうちの少なくとも１つの前記調整が制限されるように構成されることを特徴とする請求項１４に記載のＷＴＲＵ。
【請求項１９】
前記レシーバーは、ダウンリンク制御シグナリングで前記第１の初期の保証された電力レベルおよび第２の初期の保証された電力レベルを受信するように構成されることを特徴とする請求項１４に記載のＷＴＲＵ。
【請求項２０】
前記ダウンリンク制御シグナリングは、ダウンリンク制御情報（ＤＣＩ）およびメディアアクセス制御（ＭＡＣ）の制御要素（ＣＥ）のうちの少なくとも１つを含むことを特徴とする請求項１９に記載のＷＴＲＵ。
【請求項２１】
前記プロセッサーは、前記第１および第２の調整された保証された電力レベルの和が一定のままであるように、前記第１および第２の初期の保証された電力レベルを調整することによって、前記第１および第２の初期の保証された電力レベルのうちの少なくとも１つを調整し、それによって前記第１および第２の調整された保証された電力レベルの前記和と、前記ＷＴＲＵに割り当てられた前記最大伝送電力レベルとの間の残りの電力レベルが一定のままであるように構成されることを特徴とする請求項１４に記載のＷＴＲＵ。
【請求項２２】
前記プロセッサーは、前記第１および第２の調整された保証された電力レベルの和と、前記ＷＴＲＵに割り当てられた前記最大伝送電力レベルとの間の残りの電力が可変であるように、前記第１および第２の初期の保証された電力レベルを調整することによって、前記第１および第２の初期の保証された電力レベルのうちの少なくとも１つを調整するように構成されることを特徴とする請求項１４に記載のＷＴＲＵ。
【請求項２３】
前記プロセッサーは、（１）送信の前記第１のグループの送信のために以前に使用された電力レベル、および／または（２）前記送信の前記第１のグループのための制御リソースのセットについての以前に成功裏に復号されたダウンリンク制御情報（ＤＣＩ）の量のうちのいずれかの１つまたは複数の関数として、前記第１の初期の保証された電力レベルを調整することによって、前記第１および第２の初期の保証された電力レベルのうちの少なくとも１つを調整するように構成されることを特徴とする請求項１４に記載のＷＴＲＵ。
【請求項２４】
前記プロセッサーは、スケジューリングアクティビティとＤＣＩの受信とのうちのいずれかの１つまたは複数に基づいて、前記第１および第２の初期の保証された電力レベルを自律的に調整することによって、前記第１および第２の初期の保証された電力レベルのうちの少なくとも１つを調整するように構成されることを特徴とする請求項１４に記載のＷＴＲＵ。
【請求項２５】
送信の前記第１のグループにおける送信のためのすべての送信電力の和は、前記第１の調整された保証された電力レベルに等しく、送信の前記第２のグループにおける送信のためのすべての送信電力の和は、前記第２の調整された保証された電力レベルに等しいことを特徴とする請求項１４に記載のＷＴＲＵ。
【請求項２６】
前記第１および第２の調整された保証された電力レベルの和は、前記ＷＴＲＵに割り当てられた前記最大伝送電力レベル以下であることを特徴とする請求項１４に記載のＷＴＲＵ。
【発明の詳細な説明】
【技術分野】
【０００１】
本発明は、ワイヤレスネットワークに関し、より詳細には、ワイヤレスネットワークにおける適応アップリンク電力制御に関する。
【背景技術】
【０００２】
移動体通信は、継続的に発展中であり、既に、「５Ｇ」（第５世代）と呼ばれる第５の具体化の目前である。先の世代と同様に、新しいユースケースは、新しいシステムの要件の設定に関連して提案されている。
【０００３】
上記の５Ｇシステムは、５Ｇの要件を満たす「ＮＲ」（Ｎｅｗ  Ｒａｄｉｏ）アクセス技術に少なくとも部分的に対応する。
【０００４】
ＮＲアクセス技術は、例えば、ｅＭＢＢ（enhanced Mobile Broadband）、ＵＲＬＬＣ（ultra-high reliability and low latency communication）、およびｍＭＴＣ（massive machine type communication）のようないくつかのユースケースをサポートすることが期待され得る。各ユースケースは、たとえば、スペクトル効率、低遅延、および大規模な接続性の要件についてそれ自体のセットを伴う。ＮＲアクセス技術は、さらに、電力割当のためのアップリンク電力制御のメカニズムを有することが期待され得る。
【先行技術文献】
【非特許文献】
【０００５】
【非特許文献１】３ＧＰＰ  ＴＳ  ３６．１０１，  ｖ１４．３．０：  ”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ”
【非特許文献２】３ＧＰＰ  ＴＳ  ３６．３２１，  ｖ１４．２．１：  ”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献３】３ＧＰＰ  ＴＳ  ３６．２１３，  ｖ１４．２．０：  ”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅ”
【発明の概要】
【０００６】
ワイヤレスネットワークにおける適応アップリンク電力制御（adaptive uplink power control）に向けられた方法、装置、およびシステムを、提供する。方法、装置、およびシステムは、アップリンク送信用にＷＴＲＵの全体的に利用可能な電力（total available power）を共有することを含むことができる。いくつかの実施形態において、アップリンク送信用に全体的に利用可能な電力は、たとえば、少なくとも１つの送信についてのスケジューリング情報が（たとえば、タイムラインにおいて著しく異なるのが原因により、および／または調整されていない（たとえばマルチノードの）スケジューリングなどが原因により）まだ利用可能でないとき、少なくとも部分的に時間的に重なることがあり得る。
【図面の簡単な説明】
【０００７】
より詳細な理解は、添付される図面に関連して例として与えられる、以下の詳細な説明から得ることができる。説明における図は、例である。したがって、図および詳細な説明は、制限していると考えるべきでなく、他の同様に効果的な例は、可能であり見込まれる。さらにその上、図における同様の参照番号は、同様の要素を指し示す。
【０００８】
【図１Ａ】１つまたは複数の開示される実施形態を実装できる例示的な通信システムを例示するシステム図である。
【図１Ｂ】一実施形態に係る図１Ａに例示される通信システム内において使用できる例示的なワイヤレス送信／受信ユニット（ＷＴＲＵ）を例示するシステム図である。
【図１Ｃ】一実施形態に係る図１Ａに例示される通信システム内において使用できる例示的な無線アクセスネットワーク（ＲＡＮ）および例示的なコアネットワーク（ＣＮ）を例示するシステム図である。
【図１Ｄ】一実施形態に係る図１Ａに例示される通信システム内において使用できるさらなる例示的なＲＡＮおよびさらなる例示的なＣＮを例示するシステム図である。
【図２】ネットワークベースおよびＷＴＲＵベースの手法に基づく代表的な電力割当を例示するブロック図である。
【図３】ＰＣＭ（Power Control Mode）１の代表的な動的な共有の手法についての概観を例示するブロック図である。
【図４】ＰＣＭ１の動作およびＰＣＭ２の動作に加えてＰＣＭ２の代表的な電力の予約の手法についての概観を例示するブロック図である。
【図５】１つまたは複数のセルグループ（ＣＧ）に対する代表的な電力割当を例示する図である。
【図６】タイムライン上の複数のＣＧについての代表的な部分的に重なる送信を例示する図である。
【図７】代表的な電力の構成された分割を例示する図である。
【図８】デュアル接続性において（たとえば、ＬＴＥ（Long Term Evolution）およびＮＲに基づく）代表的な送信を例示するブロック図である。
【図９】変動する残りの電力を有する代表的な動的なアップリンクの電力制御の手順を例示する図である。
【図１０】一定の残りの電力を有する代表的な動的なアップリンクの電力制御の手順を例示する図である。
【発明を実施するための形態】
【０００９】
１  一般的な通信システム
図１Ａは、１つまたは複数の開示されている実施形態が実装され得る例示的な通信システム１００を示す図である。通信システム１００は、音声、データ、ビデオ、メッセージング、ブロードキャストなどのコンテンツを複数のワイヤレスユーザに提供する多元接続システムであり得る。通信システム１００は、複数のワイヤレスユーザが、ワイヤレス帯域幅を含むシステムリソースの共有によってそのようなコンテンツにアクセスすることを可能にすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ｚｅｒｏ−ｔａｉｌ  ｕｎｉｑｕｅ−ｗｏｒｄ  ＤＦＴ−Ｓｐｒｅａｄ  ＯＦＤＭ：ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などの１つまたは複数のチャネルアクセス方法を採用することができる。
【００１０】
図１Ａに示されるように、通信システム１００は、ワイヤレス送信／受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、および他のネットワーク１１２を含むことができるが、開示されている実施形態は、任意の数のＷＴＲＵ、基地局、ネットワーク、および／またはネットワーク要素を企図することが理解されよう。ＷＴＲＵ１０２ａ、１０２ｂ、１０２ｃ、１０２ｄの各々は、ワイヤレス環境において動作および／または通信するように構成された任意のタイプのデバイスであり得る。例として、ＷＴＲＵ１０２ａ、１０２ｂ、１０２ｃ、１０２ｄは、いずれも「ステーション」および／または「ＳＴＡ」と呼ばれてよく、ワイヤレス信号を送信および／または受信するように構成されてよく、ユーザ機器（ＵＥ）、移動局、固定または移動体加入者ユニット、サブスクリプションベースのユニット、ページャ、セルラ電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、モノのインターネット（ＩｏＴ）デバイス、時計または他のウェアラブル、ヘッドマウントディスプレイ（ＨＭＤ）、車両、ドローン、医療デバイスおよびアプリケーション（たとえば、遠隔手術）、産業用デバイスおよびアプリケーション（たとえば、産業および／または自動化された処理チェーンコンテキストで動作するロボットおよび／または他のワイヤレスデバイス）、家電デバイス、商用および／または産業用ワイヤレスネットワーク上で動作するデバイスなどを含み得る。ＷＴＲＵ１０２ａ、１０２ｂ、１０２ｃ、および１０２ｄのいずれも、交換可能にＵＥと呼ばれ得る。
【００１１】
通信システム１００はまた、基地局１１４ａおよび／または基地局１１４ｂを含むことができる。基地局１１４ａ、１１４ｂの各々は、ＷＴＲＵ１０２ａ、１０２ｂ、１０２ｃ、１０２ｄのうちの少なくとも１つとワイヤレスでインターフェースをとって、ＣＮ１０６／１１５、インターネット１１０、および／または他のネットワーク１１２などの１つまたは複数の通信ネットワークに対するアクセスを促進するように構成された任意のタイプのデバイスであり得る。例として、基地局１１４ａ、１１４ｂは、基地トランシーバー局（ＢＴＳ）、Ｎｏｄｅ−Ｂ、ｅＮｏｄｅ  Ｂ、ホームＮｏｄｅ  Ｂ、ホームｅＮｏｄｅ  Ｂ、ｇＮＢ、ＮＲ  ＮｏｄｅＢ、サイトコントローラ、アクセスポイント（ＡＰ）、ワイヤレスルータなどであり得る。基地局１１４ａ、１１４ｂはそれぞれ単一の要素として示されているが、基地局１１４ａ、１１４ｂは、任意の数の相互接続された基地局および／またはネットワーク要素を含み得ることが理解されよう。
【００１２】
基地局１１４ａは、ＲＡＮ１０４／１１３の一部であってよく、ＲＡＮ１０４／１１３は、他の基地局および／またはネットワーク要素（図示せず）、たとえば、基地局コントローラ（ＢＳＣ）、無線ネットワークコントローラ（ＲＮＣ）、中継ノードなどを含み得る。基地局１１４ａおよび／または基地局１１４ｂは、セル（図示せず）と呼ばれることがある１つまたは複数のキャリア周波数上でワイヤレス信号を送信および／または受信するように構成され得る。これらの周波数は、認可されたスペクトル、認可されていないスペクトル、または認可されたスペクトルと認可されていないスペクトルの組み合わせにあり得る。セルは、比較的固定され得るまたは経時的に変化し得る特定の地理的エリアに、ワイヤレスサービスのためのカバレッジを提供することができる。セルは、さらにセルセクタに分割され得る。たとえば、基地局１１４ａに関連付けられたセルが３つのセクタに分割され得る。したがって、一実施形態では、基地局１１４ａは、３つのトランシーバー、すなわち、セルの各セクタに対して１つのトランシーバーを含むことができる。実施形態において、基地局１１４ａは、多入力多出力（ＭＩＭＯ）技術を採用することができ、セルの各セクタに対して複数のトランシーバーを利用することができる。たとえば、ビームフォーミングが、所望の空間方向で信号を送信および／または受信するために使用され得る。
【００１３】
基地局１１４ａ、１１４ｂは、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であり得るエアインターフェース１１６を介して、ＷＴＲＵ１０２ａ、１０２ｂ、１０２ｃ、１０２ｄのうちの１つまたは複数と通信することができる。エアインターフェース１１６は、任意の適切な無線アクセス技術（ＲＡＴ）を使用して確立され得る。
【００１４】
より具体的には、上記されたように、通信システム１００は、多元接続システムとしてよく、ＣＤＭＡ、ＴＤＭＡ、ＦＤＭＡ、ＯＦＤＭＡ、ＳＣ−ＦＤＭＡなどの１つまたは複数のチャネルアクセス方式を採用してよい。たとえば、ＲＡＮ１０４／１１３内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立することができるユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１５】
実施形態において、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することができる進化型ＵＭＴＳ地上無線アクセス（Ｅ−ＵＴＲＡ）などの無線技術を実装することができる。
【００１６】
実施形態において、基地局１１４ａおよびＷＴＲＵ１０２ａ、１０２ｂ、１０２ｃは、Ｎｅｗ  Ｒａｄｉｏ（ＮＲ）を使用してエアインターフェース１１６を確立することができる、ＮＲ無線アクセスなどの無線技術を実装することができる。
【００１７】
実施形態において、基地局１１４ａおよびＷＴＲＵ１０２ａ、１０２ｂ、１０２ｃは、複数の無線アクセス技術を実装することができる。たとえば、基地局１１４ａおよびＷＴＲＵ１０２ａ、１０２ｂ、１０２ｃは、たとえばデュアル接続性（ＤＣ）原理を使用して、ＬＴＥ無線アクセスとＮＲ無線アクセスを共に実装することができる。したがって、ＷＴＲＵ１０２ａ、１０２ｂ、１０２ｃによって利用されるエアインターフェースは、複数のタイプの無線アクセス技術、および／または複数のタイプの基地局（たとえば、ｅＮＢおよびｇＮＢ）へ／から送られる送信によって特徴付けられ得る。
【００１８】
他の実施形態では、基地局１１４ａおよびＷＴＲＵ１０２ａ、１０２ｂ、１０２ｃは、ＩＥＥＥ８０２．１１（すなわち、ワイヤレスフィディリティ（ＷｉＦｉ））、ＩＥＥＥ８０２．１６（すなわち、マイクロ波アクセス用世界的相互運用（ＷｉＭＡＸ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ進化型高速データレート（ＥＤＧＥ）、ＧＳＭ  ＥＤＧＥ（ＧＥＲＡＮ）などの無線技術を実装することができる。
【００１９】
図１Ａにおける基地局１１４ｂは、たとえば、ワイヤレスルータ、ホームＮｏｄｅ  Ｂ、ホームｅＮｏｄｅ  Ｂ、またはアクセスポイントであってよく、事業所、家庭、車両、キャンパス、産業施設、（たとえばドローンで使用するための）空中回廊、道路などの局所的エリアにおいてワイヤレス接続性を促進するために任意の適切なＲＡＴを利用してよい。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装することができる。実施形態において、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装することができる。さらに別の実施形態では、基地局１１４ｂおよびＷＴＲＵ１０２ｃ、１０２ｄは、ピコセルまたはフェムトセルを確立するために、セルラベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａに示されるように、基地局１１４ｂは、インターネット１１０に対して直接接続を有することができる。したがって、基地局１１４ｂは、ＣＮ１０６／１１５を介してインターネット１１０にアクセスすることを必要とされなくてよい。
【００２０】
ＲＡＮ１０４／１１３は、ＣＮ１０６／１１５と通信してよく、ＣＮ１０６／１１５は、ＷＴＲＵ１０２ａ、１０２ｂ、１０２ｃ、１０２ｄのうちの１つまたは複数に対して音声、データ、アプリケーション、および／またはボイスオーバーインターネットプロトコル（ＶｏＩＰ）サービスを提供するように構成された任意のタイプのネットワークとしてよい。データは、異なるスループット要件、レイテンシ要件、エラー耐性要件、信頼性要件、データスループット要件、モビリティ要件など、様々なサービス品質（ＱｏＳ）要件を有することがある。ＣＮ１０６／１１５は、呼制御、課金サービス、移動体位置ベースのサービス、プリペイド通話、インターネット接続性、ビデオ配信などを提供することができ、および／またはユーザ認証などの高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを利用する他のＲＡＮと直接的または間接的に通信し得ることが理解されよう。たとえば、ＮＲ無線技術を利用中であり得るＲＡＮ１０４／１１３に接続されることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を採用している別のＲＡＮ（図示せず）と通信してもよい。
【００２１】
ＣＮ１０６／１１５は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、基本電話サービス（ＰＯＴＳ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）、および／またはインターネットプロトコル（ＩＰ）などの一般的通信プロトコルを使用する相互接続されたコンピュータネットワークおよびデバイスのグローバルシステムを含むことができる。ネットワーク１１２は、他のサービスプロバイダによって所有および／または運用される有線またはワイヤレス通信ネットワークを含むことができる。たとえば、ネットワーク１１２は、ＲＡＮ１０４／１１３と同じＲＡＴまたは異なるＲＡＴを利用し得る１つまたは複数のＲＡＮに接続された別のＣＮを含むことができる。
【００２２】
通信システム１００におけるＷＴＲＵ１０２ａ、１０２ｂ、１０２ｃ、１０２ｄの一部または全部は、マルチモード能力を含んでよい（たとえば、ＷＴＲＵ１０２ａ、１０２ｂ、１０２ｃ、１０２ｄが、異なるワイヤレスリンクを介して異なるワイヤレスネットワークと通信するための複数のトランシーバーを含んでよい）。たとえば、図１Ａに示されるＷＴＲＵ１０２ｃは、セルラベースの無線技術を採用し得る基地局１１４ａ、およびＩＥＥＥ８０２無線技術を採用し得る基地局１１４ｂと通信するように構成されてよい。
【００２３】
図１Ｂは、例示的なＷＴＲＵ１０２を示すシステム図である。図１Ｂに示されるように、ＷＴＲＵ１０２は、特に、プロセッサー１１８、トランシーバー１２０、送信／受信要素１２２、スピーカ／マイクロホン１２４、キーパッド１２６、ディスプレイ／タッチパッド１２８、取り外し不可能なメモリ１３０、取り外し可能なメモリ１３２、電源１３４、全地球測位システム（ＧＰＳ）チップセット１３６、および／または他の周辺機器１３８を含むことができる。ＷＴＲＵ１０２は、実施形態と一致したままで、上述の要素の任意の部分的組み合わせを含み得ることが理解されよう。
【００２４】
プロセッサー１１８は、汎用プロセッサー、専用プロセッサー、従来のプロセッサー、デジタル信号プロセッサー（ＤＳＰ）、複数のマイクロプロセッサー、ＤＳＰコアと関連する１つもしくは複数のマイクロプロセッサー、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および状態機械などであり得る。プロセッサー１１８は、信号符号化、データ処理、電力制御、入力／出力処理、および／または、ＷＴＲＵ１０２がワイヤレス環境で動作することを可能にする任意の他の機能性を実行することができる。プロセッサー１１８はトランシーバー１２０に結合されてよく、トランシーバー１２０は送信／受信要素１２２に結合されてよい。図１Ｂではプロセッサー１１８とトランシーバー１２０を別々のコンポーネントとして示しているが、プロセッサー１１８とトランシーバー１２０が電子的パッケージまたはチップに一緒に組み込まれてよいことは理解されよう。
【００２５】
送信／受信要素１２２は、エアインターフェース１１６を介して基地局（たとえば基地局１１４ａ）に信号を送信するまたは基地局から信号を受信するように構成され得る。たとえば、一実施形態では、送信／受信要素１２２は、ＲＦ信号を送信および／または受信するように構成されたアンテナとすることができる。実施形態において、送信／受信要素１２２は、たとえば、ＩＲ信号、ＵＶ信号、または可視光信号を送信および／または受信するように構成されたエミッタ／検出器とすることができる。さらに別の実施形態では、送信／受信要素１２２は、ＲＦ信号と光信号の両方を送信および受信するように構成され得る。送信／受信要素１２２は、ワイヤレス信号の任意の組み合わせを送信および／または受信するように構成され得ることが理解されよう。
【００２６】
図１Ｂでは送信／受信要素１２２は単一の要素として示されているが、ＷＴＲＵ１０２は任意の数の送信／受信要素１２２を含むことができる。より具体的には、ＷＴＲＵ１０２はＭＩＭＯ技術を採用してよい。したがって、一実施形態では、ＷＴＲＵ１０２は、エアインターフェース１１６を介してワイヤレス信号を送信および受信するために２つ以上の送信／受信要素１２２（たとえば、複数のアンテナ）を含むことができる。
【００２７】
トランシーバー１２０は、送信／受信要素１２２によって送信されることになる信号を変調し、送信／受信要素１２２によって受信された信号を復調するように構成され得る。上記されたように、ＷＴＲＵ１０２はマルチモード能力を有することができる。したがって、トランシーバー１２０は、ＷＴＲＵ１０２がたとえばＮＲおよびＩＥＥＥ８０２．１１などの複数のＲＡＴを介して通信することを可能にするために複数のトランシーバーを含み得る。
【００２８】
ＷＴＲＵ１０２のプロセッサー１１８は、スピーカ／マイクロホン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合されてよく、それらからユーザ入力データを受信することができる。プロセッサー１１８は、スピーカ／マイクロホン１２４、キーパッド１２６、および／またはディスプレイ／タッチパッド１２８にユーザデータを出力することもできる。加えて、プロセッサー１１８は、取り外し不可能なメモリ１３０および／または取り外し可能なメモリ１３２などの任意のタイプの適切なメモリからの情報にアクセスし、また、そのメモリにデータを記憶することができる。取り外し不可能なメモリ１３０は、ランダムアクセスメモリ（ＲＡＭ）、読み出し専用メモリ（ＲＯＭ）、ハードディスク、または任意の他のタイプのメモリストレージデバイスを含み得る。取り外し可能なメモリ１３２は、加入者識別モジュール（ＳＩＭ）カード、メモリスティック、セキュアデジタル（ＳＤ）メモリカードなどを含み得る。他の実施形態では、プロセッサー１１８は、ＷＴＲＵ１０２上に物理的に配置されていないサーバまたはホームコンピュータ（図示せず）上などのメモリからの情報にアクセスし、また、そのメモリにデータを記憶することができる。
【００２９】
プロセッサー１１８は、電源１３４から電力を受け取ることができ、ＷＴＲＵ１０２における他のコンポーネントに電力を分配および／または制御するように構成され得る。電源１３４は、ＷＴＲＵ１０２に電力を供給するための任意の適切なデバイスであり得る。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、および／または燃料電池などを含み得る。
【００３０】
プロセッサー１１８は、ＷＴＲＵ１０２の現在位置に関する位置情報（たとえば、経度および緯度）を提供するように構成され得るＧＰＳチップセット１３６に結合されてもよい。ＧＰＳチップセット１３６からの情報に加えてまたは代えて、ＷＴＲＵ１０２は、基地局（たとえば、基地局１１４ａ、１１４ｂ）からエアインターフェース１１６を介して位置情報を受信し、および／または近くの２つ以上の基地局から受信されている信号のタイミングに基づいて、その位置を決定してもよい。ＷＴＲＵ１０２は、実施形態と一致したままで、任意の適切な位置決定方法によって位置情報を取得し得ることが理解されよう。
【００３１】
プロセッサー１１８は、他の周辺機器１３８にさらに結合されてよく、その周辺機器１３８は、追加の特徴、機能性、および／または有線もしくはワイヤレス接続性を提供する１つまたは複数のソフトウェアおよび／またはハードウェアモジュールを含み得る。たとえば、周辺機器１３８は、加速度計、電子コンパス、衛星トランシーバー、（写真および／またはビデオ用）デジタルカメラ、ユニバーサルシリアルバス（ＵＳＢ）ポート、振動デバイス、テレビトランシーバー、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカなどを含み得る。周辺機器１３８は、１つまたは複数のセンサを含んでよく、センサは、ジャイロスコープ、加速度計、ホール効果センサ、磁力計、方位センサ、近接センサ、温度センサ、時間センサ、ジオロケーションセンサ、高度計、光センサ、タッチセンサ、磁力計、バロメータ、ジェスチャセンサ、生体認証センサ、および／または湿度センサのうちの１つまたは複数であり得る。
【００３２】
ＷＴＲＵ１０２は全二重無線を含んでよく、全二重無線では、（たとえば、ＵＬ（たとえば送信用）とダウンリンク（たとえば受信用）の両方のための特定のサブフレームに関連付けられた）信号の一部または全部の送信および受信が、並列および／または同時であってよい。全二重無線は、ハードウェア（たとえばチョーク）、またはプロセッサー（たとえば、別個のプロセッサー（図示せず）もしくはプロセッサー１１８）による信号処理によって、自己干渉を低減し、および／または実質的に除去するための干渉管理ユニット１３９を含むことができる。実施形態において、ＷＴＲＵ１０２は半二重無線を含んでよく、半二重無線では、（たとえば、ＵＬ（たとえば送信用）とダウンリンク（たとえば受信用）の両方のための特定のサブフレームに関連付けられた）信号の一部または全部の送信および受信。
【００３３】
図１Ｃは、実施形態によるＲＡＮ１０４およびＣＮ１０６を示すシステム図である。上記されたように、ＲＡＮ１０４は、Ｅ−ＵＴＲＡ無線技術を採用して、エアインターフェース１１６を介してＷＴＲＵ１０２ａ、１０２ｂ、１０２ｃと通信することができる。ＲＡＮ１０４は、ＣＮ１０６と通信することもできる。
【００３４】
ＲＡＮ１０４はｅＮｏｄｅ−Ｂ１６０ａ、１６０ｂ、１６０ｃを含むことができるが、ＲＡＮ１０４は、実施形態と一致したままで、任意の数のｅＮｏｄｅ−Ｂを含み得ることが理解されよう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバーを含むことができる。一実施形態では、ｅＮｏｄｅ−Ｂ１６０ａ、１６０ｂ、１６０ｃは、ＭＩＭＯ技術を実装することができる。したがって、ｅＮｏｄｅ−Ｂ１６０ａは、たとえば、複数のアンテナを使用して、ＷＴＲＵ１０２ａにワイヤレス信号を送信すること、および／またはＷＴＲＵ１０２ａからワイヤレス信号を受信することができる。
【００３５】
ｅＮｏｄｅ−Ｂ１６０ａ、１６０ｂ、１６０ｃの各々は、特定のセル（図示せず）に関連付けられてよく、無線リソース管理判断、ハンドオーバ判断、ならびにＵＬおよび／またはＤＬにおけるユーザのスケジューリングなどを扱うように構成され得る。図１Ｃに示されるように、ｅＮｏｄｅ−Ｂ１６０ａ、１６０ｂ、１６０ｃは、Ｘ２のインターフェースを介して互いに通信することができる。
【００３６】
図１Ｃに示されているＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（すなわちＰＧＷ）１６６を含むことができる。上記の要素の各々はＣＮ１０６の一部として示されているが、これらの要素のいずれもＣＮ運用者以外のエンティティによって所有および／または運用され得ることは理解されよう。
【００３７】
ＭＭＥ１６２は、Ｓ１インターフェースを介してＲＡＮ１０４におけるｅＮｏｄｅＢ−１６２ａ、１６２ｂ、１６２ｃの各々に接続されてよく、制御ノードとして働くことができる。たとえば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択することなどを担うことができる。ＭＭＥ１６２は、ＲＡＮ１０４と、ＧＳＭおよび／またはＷＣＤＭＡなど他の無線技術を採用するＲＡＮ（図示せず）との間で切り替えるための制御プレーン機能を提供することができる。
【００３８】
ＳＧＷ１６４は、Ｓ１インターフェースを介してＲＡＮ１０４におけるｅＮｏｄｅ−Ｂ１６０ａ、１６０ｂ、１６０ｃの各々に接続され得る。ＳＧＷ１６４は、一般に、ＷＴＲＵ１０２ａ、１０２ｂ、１０２ｃへ／からユーザデータパケットをルーティングおよび転送することができる。ＳＧＷ１６４は、ｅＮｏｄｅ  Ｂ間ハンドオーバ中にユーザプレーンをアンカリングすること、ＷＴＲＵ１０２ａ、１０２ｂ、１０２ｃにダウンリンクデータが利用可能であるときにページングをトリガーすること、ＷＴＲＵ１０２ａ、１０２ｂ、１０２ｃのコンテキストを管理および記憶することなど、他の機能を実行することができる。
【００３９】
ＳＧＷ１６４は、ＷＴＲＵ１０２ａ、１０２ｂ、１０２ｃとＩＰ対応デバイスとの間の通信を促進するために、ＷＴＲＵ１０２ａ、１０２ｂ、１０２ｃにインターネット１１０などのパケット交換ネットワークに対するアクセスを提供することができる、ＰＧＷ１６６に接続され得る。
【００４０】
ＣＮ１０６は、他のネットワークとの通信を促進することができる。たとえば、ＣＮ１０６は、ＷＴＲＵ１０２ａ、１０２ｂ、１０２ｃにＰＳＴＮ１０８などの回線交換ネットワークに対するアクセスを提供して、ＷＴＲＵ１０２ａ、１０２ｂ、１０２ｃと従来の陸線通信デバイスとの間の通信を促進することができる。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含んでよく、またはそのようなＩＰゲートウェイと通信してもよい。加えて、ＣＮ１０６は、他のサービスプロバイダによって所有および／または運用される他の有線またはワイヤレスネットワークを含み得るネットワーク１１２に対するアクセスを、ＷＴＲＵ１０２ａ、１０２ｂ、１０２ｃに提供することができる。
【００４１】
図１Ａ〜図１ＤではＷＴＲＵがワイヤレス端末として説明されているが、特定の代表的実施形態では、そのような端末が通信ネットワークとの有線通信インターフェースを（たとえば、一時的または永続的に）使用してよいことが企図される。
【００４２】
代表的実施形態では、他のネットワーク１１２はＷＬＡＮであってよい。
【００４３】
インフラストラクチャ基本サービスセット（ＢＳＳ）モードのＷＬＡＮは、ＢＳＳのためのアクセスポイント（ＡＰ）と、ＡＰに関連付けられた１つまたは複数の局（ＳＴＡ）とを有することができる。ＡＰは、分配システム（ＤＳ）、またはＢＳＳ内および／もしくは外へのトラフィックを搬送する別のタイプの有線／ワイヤレスネットワークに対し、アクセスまたはインターフェースを有することができる。ＢＳＳ外部からのＳＴＡへのトラフィックは、ＡＰを介して到達してよく、ＳＴＡに送達されてよい。ＳＴＡからのＢＳＳ外部の宛先へのトラフィックは、それぞれの宛先に送達されるべくＡＰに送られてよい。ＢＳＳ内のＳＴＡ間のトラフィックはＡＰを介して送られてよく、たとえば、ソースＳＴＡがトラフィックをＡＰに送ってよく、ＡＰが宛先ＳＴＡにトラフィックを送達してよい。ＢＳＳ内のＳＴＡ間のトラフィックは、ピアツーピアトラフィックとみなされ、および／または呼ばれ得る。ピアツーピアトラフィックは、ダイレクトリンクセットアップ（ＤＬＳ）を用いて、ソースＳＴＡと宛先ＳＴＡとの間で（たとえば直接）送られてよい。特定の代表的な実施形態では、ＤＬＳは、８０２．１１ｅ  ＤＬＳまたは８０２．１１ｚトンネルＤＬＳ（ＴＤＬＳ）を使用し得る。独立ＢＳＳ（ＩＢＳＳ）モードを使用しているＷＬＡＮは、ＡＰを有しなくてよく、ＩＢＳＳ内のまたはＩＢＳＳを使用しているＳＴＡ（たとえば、ＳＴＡのすべて）は、互いに直接通信してよい。ＩＢＳＳモードの通信は、本明細書では「アドホック」モードの通信と呼ばれることがある。
【００４４】
８０２．１１ａｃインフラストラクチャ動作モードまたは類似の動作モードを使用しているとき、ＡＰは一次チャネルなどの固定されたチャネルでビーコンを送信することができる。一次チャネルは、固定された幅（たとえば、２０ＭＨｚ帯域幅）でよく、またはシグナリングによって動的に設定される幅でよい。一次チャネルは、ＢＳＳの動作チャネルでよく、ＳＴＡによってＡＰとの接続を確立するために使用されてよい。特定の代表的な実施形態では、たとえば８０２．１１システムにおいて、キャリア検知多重アクセス／衝突回避（ＣＳＭＡ／ＣＡ）が実装され得る。ＣＳＭＡ／ＣＡでは、ＡＰを含むＳＴＡ（たとえば、すべてのＳＴＡ）が一次チャネルを検知してよい。一次チャネルがビジーであると特定のＳＴＡによって検知／検出および／または決定された場合、この特定のＳＴＡは譲歩し得る。１つのＳＴＡ（たとえば、１つの局のみ）が、所与のＢＳＳにおいて任意の所与の時間に送信をすることができる。
【００４５】
高スループット（ＨＴ）ＳＴＡは、たとえば、一次２０ＭＨｚチャネルを隣接または非隣接の２０ＭＨｚチャネルと組み合わせて４０ＭＨｚ幅チャネルを形成することによって、通信に４０ＭＨｚ幅チャネルを使用することができる。
【００４６】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続した２０ＭＨｚチャネルを組み合わせることによって形成されてよい。１６０ＭＨｚチャネルは、８つの連続した２０ＭＨｚチャネルを組み合わせることによって、または２つの不連続の８０ＭＨｚチャネルを組み合わせることによって形成されてよく、後者は８０＋８０構成と呼ばれることがある。８０＋８０構成では、データは、チャネル符号化の後に、データを２つのストリームに分割できるセグメントパーサに通されてよい。逆高速フーリエ変換（ＩＦＦＴ）処理および時間領域処理が、各ストリームに対して別々に行われてよい。ストリームは２つの８０ＭＨｚチャネルにマッピングされてよく、データは送信ＳＴＡによって送信されてよい。受信ＳＴＡのレシーバーにおいて、８０＋８０構成に関する上記動作は逆にされてよく、組み合わされたデータがＭＡＣ（Medium Access Control）に送られてよい。
【００４７】
８０２．１１ａｆおよび８０２．１１ａｈによってサブ１ＧＨｚ動作モードがサポートされる。８０２．１１ａｆおよび８０２．１１ａｈでは、チャネル動作帯域幅およびキャリアが、８０２．１１ｎおよび８０２．１１ａｃで使用されるものに比べて低減される。８０２．１１ａｆは、ＴＶホワイトスペース（ＴＶＷＳ）スペクトルにおける５ＭＨｚ、１０ＭＨｚ、および２０ＭＨｚ帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなどのメータタイプ制御／マシンタイプ通信をサポートすることができる。ＭＴＣデバイスは、特定の能力、たとえば、特定のおよび／または限定された帯域幅のサポート（たとえば、その帯域幅のみのサポート）を含む限定された能力を有してよい。ＭＴＣデバイスは、（たとえば、非常に長いバッテリ寿命を保つように）閾値を上回るバッテリ寿命を有するバッテリを含むことができる。
【００４８】
８０２．１１ｎ、８０２．１１ａｃ、８０２．１１ａｆ、および８０２．１１ａｈなどの複数のチャネルおよびチャネル帯域幅をサポートすることができるＷＬＡＮシステムは、一次チャネルとして指定されることができるチャネルを含む。一次チャネルは、ＢＳＳにおけるすべてのＳＴＡによってサポートされる最大の共通の動作帯域幅に等しい帯域幅を有することができる。一次チャネルの帯域幅は、ＢＳＳにおいて動作するすべてのＳＴＡの中から最小帯域幅動作モードをサポートするＳＴＡによって設定および／または制限され得る。８０２．１１ａｈの例では、ＡＰおよびＢＳＳにおける他のＳＴＡが、２ＭＨｚ、４ＭＨｚ、８ＭＨｚ、１６ＭＨｚ、および／または他のチャネル帯域幅動作モードをサポートする場合でも、一次チャネルは、１ＭＨｚモードをサポートする（たとえば、１ＭＨｚモードのみサポートする）ＳＴＡ（たとえばＭＴＣタイプデバイス）に対する１ＭＨｚの幅でよい。キャリアの検知および／またはＮＡＶ（Network Allocation Vector）の設定は、一次チャネルの状態に依存し得る。一次チャネルが、たとえばＡＰに送信している（１ＭＨｚ動作モードのみサポートする）ＳＴＡのために、ビジーである場合、周波数帯の大部分がアイドル状態のままで利用可能であったとしても、利用可能な周波数帯全体がビジーであるとみなされ得る。
【００４９】
米国では、８０２．１１ａｈによって使用されてよい利用可能な周波数帯は９０２ＭＨｚから９２８ＭＨｚである。韓国では、利用可能な周波数帯は９１７．５ＭＨｚから９２３．５ＭＨｚである。日本では、利用可能な周波数帯は９１６．５ＭＨｚから９２７．５ＭＨｚである。８０２．１１ａｈに利用可能な総帯域幅は、国コードに応じて６ＭＨｚから２６ＭＨｚである。
【００５０】
図１Ｄは、実施形態によるＲＡＮ１１３およびＣＮ１１５を示すシステム図である。上記されたように、ＲＡＮ１１３は、ＮＲ無線技術を採用して、エアインターフェース１１６を介してＷＴＲＵ１０２ａ、１０２ｂ、１０２ｃと通信することができる。ＲＡＮ１１３は、ＣＮ１１５と通信することもできる。
【００５１】
ＲＡＮ１１３はｇＮＢ１８０ａ、１８０ｂ、１８０ｃを含むことができるが、実施形態と一致したままで、ＲＡＮ１１３は任意の数のｇＮＢを含み得ることが理解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバーを含むことができる。一実施形態では、ｇＮＢ１８０ａ、１８０ｂ、１８０ｃは、ＭＩＭＯ技術を実装することができる。たとえば、ｇＮＢ１８０ａ、１０８ｂは、ビームフォーミングを利用して、ｇＮＢ１８０ａ、１８０ｂ、１８０ｃに信号を送信すること、および／またはｇＮＢ１８０ａ、１８０ｂ、１８０ｃから信号を受信することができる。したがって、ｇＮＢ１８０ａは、たとえば、複数のアンテナを使用して、ＷＴＲＵ１０２ａにワイヤレス信号を送信すること、および／またはＷＴＲＵ１０２ａからワイヤレス信号を受信することができる。実施形態において、ｇＮＢ１８０ａ、１８０ｂ、１８０ｃは、キャリアアグリゲーション技術を実装することができる。たとえば、ｇＮＢ１８０ａは、複数のコンポーネントキャリアをＷＴＲＵ１０２ａ（図示せず）に送信することができる。これらのコンポーネントキャリアの一部は、認可されていないスペクトル上にあってよく、残りのコンポーネントキャリアは、認可されたスペクトル上にあってよい。実施形態において、ｇＮＢ１８０ａ、１８０ｂ、１８０ｃは、ＣｏＭＰ（Coordinated Multi-Point）の技術を実装することができる。たとえば、ＷＴＲＵ１０２ａは、ｇＮＢ１８０ａおよびｇＮＢ１８０ｂ（および／またはｇＮＢ１８０ｃ）から調整された送信を受信することができる。
【００５２】
ＷＴＲＵ１０２ａ、１０２ｂ、１０２ｃは、スケーラブルなヌメロロジー（ｎｕｍｅｒｏｌｏｇｙ）に関連付けられた送信を使用して、ｇＮＢ１８０ａ、１８０ｂ、１８０ｃと通信することができる。たとえば、ＯＦＤＭシンボル間隔および／またはＯＦＤＭサブキャリア間隔は、異なる送信、異なるセル、および／またはワイヤレス送信スペクトルの異なる部分に応じて変わり得る。ＷＴＲＵ１０２ａ、１０２ｂ、１０２ｃは、様々なまたはスケーラブルな長さのサブフレームまたは送信時間間隔（ＴＴＩ）（たとえば、様々な数のＯＦＤＭシンボルおよび／または持続的に変わる長さの絶対時間を含む）を使用して、ｇＮＢ１８０ａ、１８０ｂ、１８０ｃと通信することができる。
【００５３】
ｇＮＢ１８０ａ、１８０ｂ、１８０ｃは、スタンドアロン構成および／または非スタンドアロン構成でＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（たとえば、ｅＮｏｄｅ−Ｂ１６０ａ、１６０ｂ、１６０ｃなど）にもアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカポイントとしてｇＮＢ１８０ａ、１８０ｂ、１８０ｃのうちの１つまたは複数を利用することができる。スタンドアロン構成では、ＷＴＲＵ１０２ａ、１０２ｂ、１０２ｃは、認可されていない帯域で信号を使用してｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅ−Ｂ１６０ａ、１６０ｂ、１６０ｃなどの他のＲＡＮとも通信／接続しながら、ｇＮＢ１８０ａ、１８０ｂ、１８０ｃと通信／接続することができる。たとえば、ＷＴＲＵ１０２ａ、１０２ｂ、１０２ｃは、ＤＣ原理を実装して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することができる。非スタンドアロン構成では、ｅＮｏｄｅ−Ｂ１６０ａ、１６０ｂ、１６０ｃは、ＷＴＲＵ１０２ａ、１０２ｂ、１０２ｃのためのモビリティアンカとして働くことができ、ｇＮＢ１８０ａ、１８０ｂ、１８０ｃは、ＷＴＲＵ１０２ａ、１０２ｂ、１０２ｃにサービスするための追加のカバレッジおよび／またはスループットを提供することができる。
【００５４】
ｇＮＢ１８０ａ、１８０ｂ、１８０ｃの各々は、特定のセル（図示せず）に関連付けられることが可能であり、無線リソース管理決定、ハンドオーバ決定、ＵＬおよび／またはＤＬにおけるユーザのスケジューリング、ネットワークスライシングのサポート、デュアル接続性、ＮＲとＥ−ＵＴＲＡとの間のインターワーキング、ユーザプレーン機能（ＵＰＦ）１８４ａ、１８４ｂへのユーザプレーンデータのルーティング、アクセスおよびモビリティ管理機能（ＡＭＦ）１８２ａ、１８２ｂへの制御プレーン情報のルーティングなどを扱うように構成され得る。図１Ｄに示されるように、ｇＮＢ１８０ａ、１８０ｂ、１８０ｃは、Ｘｎインターフェースを介して互いに通信することができる。
【００５５】
図１Ｄに示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含むことができる。上記の要素の各々はＣＮ１１５の一部として示されているが、これらの要素のいずれも、ＣＮ運用者以外のエンティティによって所有および／または運用され得ることは理解されよう。
【００５６】
ＡＭＦ１８２ａ、１８２ｂは、Ｎ２インターフェースを介してＲＡＮ１１３内のｇＮＢ１８０ａ、１８０ｂ、１８０ｃのうちの１つまたは複数に接続されてよく、制御ノードとして働くことができる。たとえば、ＡＭＦ１８２ａ、１８２ｂは、ＷＴＲＵ１０２ａ、１０２ｂ、１０２ｃのユーザを認証すること、ネットワークスライシングのサポート（たとえば、異なる要件を有する異なるＰＤＵセッションの処理）、特定のＳＭＦ１８３ａ、１８３ｂの選択、登録エリアの管理、ＮＡＳシグナリングの終了、モビリティ管理などを担うことができる。ネットワークスライシングは、ＷＴＲＵ１０２ａ、１０２ｂ、１０２ｃに利用されているサービスのタイプに基づいてＷＴＲＵ１０２ａ、１０２ｂ、１０２ｃに対するＣＮサポートをカスタマイズするために、ＡＭＦ１８２ａ、１８２ｂによって使用され得る。たとえば、超高信頼低遅延（ＵＲＬＬＣ）アクセスに依存するサービス、拡張大容量モバイルブロードバンド（ｅＭＢＢ）アクセスに依存するサービス、および／またはマシンタイプ通信（ＭＴＣ）アクセス用のサービスなどの異なるユースケースに応じて、異なるネットワークスライスが確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術のような他の無線技術を採用する他のＲＡＮ（図示せず）との間で切り替えるための制御プレーン機能を提供することができる。
【００５７】
ＳＭＦ１８３ａ、１８３ｂは、Ｎ１１インターフェースを介してＣＮ１１５内のＡＭＦ１８２ａ、１８２ｂに接続され得る。ＳＭＦ１８３ａ、１８３ｂは、Ｎ４インターフェースを介してＣＮ１１５内のＵＰＦ１８４ａ、１８４ｂにも接続され得る。ＳＭＦ１８３ａ、１８３ｂは、ＵＰＦ１８４ａ、１８４ｂを選択および制御し、ＵＰＦ１８４ａ、１８４ｂを介するトラフィックのルーティングを構成することができる。ＳＭＦ１８３ａ、１８３ｂは、例えば、ＵＥ  ＩＰアドレスを管理し割当てる、ＰＤＵセッションを管理する、ポリシーの実施およびＱｏＳを制御する、ダウンリンクのデータ通知を提供するなど、他の機能を実行することができる。ＰＤＵセッションのタイプは、ＩＰベース、非ＩＰベース、イーサネットベースなどであり得る。
【００５８】
ＵＰＦ１８４ａ、１８４ｂは、Ｎ３インターフェースを介してＲＡＮ１１３内のｇＮＢ１８０ａ、１８０ｂ、１８０ｃのうちの１つまたは複数に接続されてよく、それらは、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＵＰＦ１８４、１８４ｂは、パケットのルーティングおよび転送、ユーザプレーンポリシーの実施、マルチホームＰＤＵセッションのサポート、ユーザプレーンＱｏＳの処理、ダウンリンクパケットのバッファリング、モビリティアンカリングの提供など、他の機能を実行することができる。
【００５９】
ＣＮ１１５は、他のネットワークとの通信を容易にすることができる。たとえば、ＣＮ１１５は、ＣＮ１１５とＰＳＴＮ１０８との間のインターフェースとして働くＩＰゲートウェイ（たとえば、ＩＰマルチメディアサブシステム（ＩＭＳ）サーバ）を含むことができ、またはそのＩＰゲートウェイと通信することができる。加えて、ＣＮ１１５は、他のサービスプロバイダによって所有および／または運用される他の有線またはワイヤレスネットワークを含み得る他のネットワーク１１２に対するアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとローカルデータネットワーク（ＤＮ）１８５ａ、１８５ｂとの間のＮ６インターフェースを介して、ＵＰＦ１８４ａ、１８４ｂを通って、ＤＮ１８５ａ、１８５ｂに接続され得る。
【００６０】
図１Ａ〜図１Ｄおよび図１Ａ〜図１Ｄの対応する説明に鑑みて、ＷＴＲＵ１０２ａ−ｄ、基地局１１４ａ−ｂ、ｅＮｏｄｅ−Ｂ１６０ａ−ｃ、ＭＭＥ１６２、ＳＧＷ１６４、ＰＧＷ１６６、ｇＮＢ１８０ａ−ｃ、ＡＭＦ１８２ａ−ａｂ、ＵＰＦ１８４ａ−ｂ、ＳＭＦ１８３ａ−ｂ、ＤＮ１８５ａ−ｂ、および／または本明細書に説明されている任意の他のデバイスのうちの１つまたは複数に関して本明細書で説明されている機能の１つまたは複数またはすべてが、１つまたは複数のエミュレーションデバイス（図示せず）によって実行され得る。エミュレーションデバイスは、本明細書で説明されている機能の１つまたは複数またはすべてをエミュレートするように構成された１つまたは複数のデバイスであり得る。たとえば、エミュレーションデバイスは、他のデバイスをテストするために、ならびに／またはネットワークおよび／もしくはＷＴＲＵ機能をシミュレートするために使用され得る。
【００６１】
エミュレーションデバイスは、ラボ環境および／またはオペレータネットワーク環境において他のデバイスの１つまたは複数のテストを実装するように設計され得る。たとえば、１つまたは複数のエミュレーションデバイスは、通信ネットワーク内の他のデバイスをテストするために、有線および／またはワイヤレス通信ネットワークの一部として完全または部分的に実装および／または展開されながら、１つまたは複数またはすべての機能を実行してよい。１つまたは複数のエミュレーションデバイスは、有線および／またはワイヤレス通信ネットワークの一部として一時的に実装／展開されながら、１つまたは複数またはすべての機能を実行してよい。エミュレーションデバイスは、テストのために別のデバイスに直接結合されてよく、および／または無線ワイヤレス通信を使用してテストを実行してもよい。
【００６２】
１つまたは複数のエミュレーションデバイスは、有線および／またはワイヤレス通信ネットワークの一部として実装／展開されることなく、１つまたは全部を含む複数の機能を実行してよい。たとえば、エミュレーションデバイスは、１つまたは複数のコンポーネントのテストを実装するために、テストラボならびに／または展開されていない（たとえばテスト）有線および／もしくはワイヤレス通信ネットワークにおけるテストシナリオで利用されてよい。１つまたは複数のエミュレーションデバイスは試験装置であってよい。直接ＲＦ結合、および／または（たとえば、１つまたは複数のアンテナを含み得る）ＲＦ回路構成を介するワイヤレス通信が、データを送信および／または受信するためにエミュレーションデバイスによって使用されてよい。
【００６３】
２  デュアル接続性（ＤＣ）を有する電力制御
ワイヤレスネットワーク（たとえばＬＴＥ）では、ＷＴＲＵは、（たとえば、所与のセルに関するシステム情報内でシグナリングされ得る）所望の受信電力Ｐｏ、たとえば、（推定された経路損失推定値などに基づく）伝搬損失ＰＬを補償するために必要な電力の関数として、送信のタイプについての送信電力を決定することができる。ＰＬは、ｄＢでＷＴＲＵによって計算されるダウンリンク経路損失推定値であり、ＰＬ＝基準信号電力（ｒｅｆｅｒｅｎｃｅＳｉｇｎａｌＰｏｗｅｒ）−上位層フィルタリング済み基準信号受信電力（ＲＳＲＰ）であり、ここで、基準信号電力は、上位層によって提供され、ＲＳＲＰは、セル固有基準信号（ＲＳ）を搬送するリソース要素（ＲＥ）の平均電力に対応する。
【００６４】
これは、物理アップリンク共有チャネル（ＰＵＳＣＨ）の場合のさらなる単位／分数補償係数（ｕｎｉｔ／ｆｒａｃｔｉｏｎａｌ  ｃｏｍｐｅｎｓａｔｉｏｎ  ｃｏｅｆｆｉｃｉｅｎｔ）∞、特定の誤り率および／またはＳＩＮＲを満たすための電力のオフセット量、たとえば、Δｆｏｒｍａｔ（たとえば、物理アップリンク制御チャネル（ＰＵＣＣＨ）上のハイブリッド自動要求（ＨＡＲＱ）肯定応答／否定応答、サービス要求（ＳＲ）、チャネル品質インジケータ（ＣＱＩ）、もしくは組み合わせに関する）またはΔＭＣＳ（変調および符号化方式、たとえばＰＵＳＣＨ用）、ＰＵＳＣＨのための送信に使用されるＲＢの数「Ｍ」の関数としての成分、ならびに、ネットワークδからの伝送電力制御（ＴＰＣ）の受信に基づく訂正（典型的には、＋／−１ｄＢ、０、もしくは３ｄＢ）などを含み得る。いくつかの実施形態では、ＷＴＲＵは、送信電力を決定する際に以前の量の和を含んでよい。
【００６５】
特定の実施形態では、ワイヤレスネットワーク（たとえばＬＴＥ）において、ＷＴＲＵは、ＰＰＵＣＣＨ＝ｆｃｔ（Ｐｏ，ＰＬ，Δｆｏｒｍａｔ，∂＝ΣＴＰＣ）と同様のものに従って、（たとえばＰＵＳＣＨなしの）ＰＵＣＣＨについての送信電力を決定することができる。
【００６６】
特定の実施形態では、ワイヤレスネットワーク（たとえばＬＴＥ）において、ＷＴＲＵは、ＰPUSCH＝ｆｃｔ（Ｐo、∞ＰＬ、１０ｌｏｇ10（Ｍ）、ΔＭＣＳ、∂＝ΣＴＰＣ）と同様のものに従って、（たとえばＰＵＣＣＨなしの）ＰＵＳＣＨについての送信電力を決定することができる。
【００６７】
２．１  ＤＣのための電力制御動作の概要
図２は、代表的な電力割当方式を示すブロック図である。図は、少なくとも部分的に時間的に重なり得る異なる送信に対して総ＵＥ利用可能電力を分配するための異なる可能な手法を説明する。それらの手法は、ネットワークベースの手法２０１またはＷＴＲＵベースの手法２０３として分類され得る。ネットワークベースの手法では、ネットワークは、必要とされる総ＵＥ送信電力が総ＵＥ利用可能電力（２０５）を超えるリスクを最小限にするために、異なるスケジューラ間のリアルタイムの調整を行うように実装されることがあり、あるいは、ネットワークは、単純に、全体的に利用可能な電力（２０７）の固定されたスプリットでＷＴＲＵを構成することがある。前者は、複雑でコストがかかり実用的でないことがあり、後者は、任意の所与の時間にＷＴＲＵの全体的に利用可能な電力の使用を最大限にするのに非効率的であることがある。
【００６８】
ＷＴＲＵベースの手法２０３では、ＷＴＲＵは、異なるセットの送信の間でのＷＴＲＵの全体的に利用可能な電力の動的な共有２０９の何らかの形態を実装することがあり、または、全体的なＷＴＲＵの利用可能な送信電力（total WTRU’s available transmission power）のうちの最小割合が所与のセットの送信に常に利用可能であり得るように電力予約２１１メカニズムの何らかの形態を実装することがある。前者は、すべての適用可能な送信の開始時間が同期ネットワーク展開に関して短時間の間隔内である場合に、全体的なＷＴＲＵの利用可能な送信電力について最も効率的な共有を可能にすることができる一方、後者は、他の場合により適していることがある。独立したスケジューリング命令のもとに、全体的なＷＴＲＵの利用可能な電力（total WTRU available power）（たとえばＰCMAX）を異なる送信に割当てるためのいくつかの可能な手順があり得る。
【００６９】
いくつかの実施形態では、２つのタイプの電力制御モード（ＰＣＭ）、すなわちモード１およびモード２が定義され得る。ＤＣが可能なＷＴＲＵは、少なくともＰＣＭ１をサポートすることができ、このＷＴＲＵは、さらにＰＣＭ２をサポートしてもよい。両モードにおいて、ＷＴＲＵは、全体的に利用可能な電力ＰCMAXのうちの割合としての各セルグループ（ＣＧ）の「最小の保証された電力（以下、最小保証電力）」と共に構成され得る。
【００７０】
２．１．１  ＰＣＭ１  −  動的な共有の動作
いくつかの実施形態では、ＰＣＭ（電力制御モード）１において、ＷＴＲＵは、最初に、ＣＧ（たとえば各ＣＧ）に対して最小保証電力まで割当て、次に、どんな残りの電力でも、たとえば、図３に例示するような、ＵＣＩ（アップリンク制御情報）のタイプに基づく優先順位に応じて、送信毎にＭＣＧ（Master CG）およびＳＣＧ（Secondary CG）の全体にわたって共有することができる。
【００７１】
図３は、ＰＣＭ１の代表的な動的な共有の動作の概観を示すブロック図である。図３を参照すると、ＷＴＲＵは、たとえば電力が限定されると、両方のＣＧ全体にわたる送信（たとえばすべての送信）を、それらの相対的な優先度により考慮することができる。ＷＴＲＵは、たとえば、ＳＣＧのＭＡＣ（Medium Access Control）が最初に追加されたときに、電力制御情報を報告することができる。ＷＴＲＵは、それがＣＧ間の最大タイミング差が閾値を超えると決定したとき、ＳＣＧのセル（たとえば、すべてのセル）のアップリンク送信を自律的に停止することができる。
【００７２】
２．１．２  ＰＣＭ２  −  電力予約動作
いくつかの実施形態では、ＰＣＭ２において、ＷＴＲＵは、ＣＧ（たとえば、各ＣＧ）（たとえば、マスタセルグループ（ＭＣＧ）および／または二次セルグループ（ＳＣＧ））に対して最小保証電力を予約することができ、残りの電力は、図４に示されるように、まず時間的に最も速く開始するＣＧに利用可能にされ得る。
【００７３】
図４は、ＰＣＭ１の動作およびＰＣＭ２の動作に加えてＰＣＭ２の代表的な電力予約の手法を示すブロック図である。図４を参照すると、全体的な利用可能なアップリンクの送信電力を、「保証」および／または「残り」のコンポーネントとして分割することができる。アップリンクの送信（たとえば、ＰＵＳＣＨ、ＰＵＣＣＨ）の各々についての電力レベルを、ＰＣＭの動作に応じて割り当てことができる。特定のＰＣＭの動作を、たとえば、無線リソース制御（ＲＲＣ）のシグナリングを介して、ネットワークによって構成することができる。ＰＣＭ１の動作は、たとえば、特定の閾値未満、たとえば、ＣＧ間において３３μｓ未満により、同期された展開（synchronized deployment）に適用可能であり得る。ＰＣＭ１の動作とは異なり、ＰＣＭ２の動作は、たとえば、場合によって第１の特定の閾値（たとえば０μｓ）より大きいが、第２の特定の閾値未満、たとえばＣＧ間において５００μｓ未満により、非同期な展開（asynchronous deployment）に適用可能であり得る。
【００７４】
図５は、１つまたは複数のＣＧに対する代表的な電力割当を示す図である。図５を参照すると、全体的なＷＴＲＵの利用可能な電力の異なる部分（たとえば、ＣＧ１  ５０１用の電力の部分、ＣＧ２  ５０２用の電力の部分、および残りの電力の部分５０３）が、ＣＧ（たとえば各ＣＧ）の最小保証電力に関して示されている。ＣＧ（たとえば各ＣＧ）の最小保証電力は、全体的なＷＴＲＵの利用可能な電力のうちの割合であり得る。全体的なＷＴＲＵの利用可能な電力は、図５に示されるようにＰＣＭＡＸによって示され得る。各部分の境界は、図５では円（たとえば、５０４および５０５）によって示される。各部分（たとえば、ＣＧ１用の最小保証電力、およびＣＧ２用の最小保証電力）についての境界が、たとえば、ＲＲＣシグナリングなどのＬ３シグナリングによって構成され得る。各部分（たとえば、５０４および５０５）についての境界の値は、準静的に（semi-statically）構成することができる。すべてのＣＧ（たとえば、５０４および５０５）の境界の合計は、全体的なＷＴＲＵの利用可能な電力の１００％未満である場合もそうでない場合もあり、１００％未満の場合、残りの電力は零でない値であり得る。
【００７５】
３  ＮＲアクセス技術
いくつかの実施形態では、ＮＲアクセス技術が、キャリアアグリゲーション（ＣＡ）およびデュアル接続性（ＤＣ）をサポートすることができる。特定の実施形態では、ＤＣ構成において、ＮＲは、二次セルとして、またはＬＴＥセルおよび／もしくはアグリゲートされたセルと共にアグリゲートされたセルとして機能することができる。このシナリオは、非スタンドアロン（ＮＳＡ）ＮＲ動作と呼ばれることがある。ＮＲはＤＣのアンカであってよく、何らかの形態のスタンドアロン動作（ＳＡ）を使用してよい。
【００７６】
他の実施形態では、ＮＲアクセス技術は、１より大きいサブキャリア間隔値で動作をサポートすることができ、その値は、１５ｋＨｚから２のべき乗による乗算および／または除算によって導出され得る。そのような動作は、「スケーラブルなヌメロロジー」と呼ばれることがある。
【００７７】
いくつかの実施形態では、ＮＲアクセス技術をサポートするＷＴＲＵ（「ＮＲ  ＷＴＲＵ」）は、たとえば所与のＮＲキャリアのサブフレームの持続期間を定義し得る、所与のＮＲキャリアにおける１つの「基準ヌメロロジー」を使用することができる。たとえば、サブキャリア間隔（２m＊１５）を有する基準ヌメロロジーについてのＮＲにおけるサブフレームの持続期間は、ちょうど１／２mｍｓであってもよく、１／２mｍｓより大きくてもよく、または１／２mｍｓより小さくてもよい。
【００７８】
いくつかの実施形態では、ＮＲアクセス技術は、ＷＴＲＵ観点からサブフレーム内にまたはサブフレーム全体にわたって、時間および／または周波数においてヌメロロジーを多重化することをサポートすることができる。
【００７９】
いくつかの実施形態では、ＮＲのフレーム構造は「スロット」として定義され得る。スロットは、１つまたは複数の送信に使用されるヌメロロジーでｙ個のＯＦＤＭシンボルの持続期間を有することができる。たとえば少なくともサブキャリア間隔が基準ヌメロロジーの間隔以上であるとき、整数個のスロットが１つのサブフレーム持続期間内に収まることができる。別の実施形態では、ＮＲのフレーム構造は、ｙ個のＯＦＤＭシンボルよりも短い送信を有する「ミニスロット」として定義されてもよい。
【００８０】
ＮＲにおけるアップリンク電力制御のための方法、装置、およびシステムは、以下のユースケースを満たし、任意の他の実施形態、ユースケース、および／またはワイヤレス技術に適用可能であり得る：
−  シングルキャリア動作を有する（たとえば、シングルヌメロロジーおよび／または多重化ヌメロロジーを伴う）スタンドアロンＮＲ；
−  （たとえば、同じキャリアおよび／または異なるキャリアにおける）ＮＲキャリアアグリゲーション多重化ヌメロロジー。いくつかの実施形態では、ＮＲキャリアアグリゲーション多重化ヌメロロジーは、たとえば異なるキャリアの場合、同じ帯域または異なる帯域内であり得る；
−  異なるヌメロロジーを有するＤＣにおけるＮＲ；および／または
−  同じまたは異なるヌメロロジーを有する異なる無線アクセス技術（たとえばＬＴＥおよびＮＲ）の間のインターワーキング。
【００８１】
４  補助アップリンク（Ｓｕｐｐｌｅｍｅｎｔａｒｙ  Ｕｐｌｉｎｋ：ＳＵＬ）キャリア
ＵＥは、一次アップリンク（ｐｒｉｍａｒｙ  ｕｐｌｉｎｋ：ＰＵＬ）キャリアおよび／または補助アップリンク（ＳＵＬ）キャリアを有するセルで構成され得る。代表的な実施形態では、（たとえばＮＲにおける）セルは、１つまたは複数の補助アップリンクで構成され得る。本開示における用語「ＰＵＬ」および「ＳＵＬ」はそれぞれ、一次アップリンクキャリアおよび補助アップリンクキャリアを指すために使用され得る。
【００８２】
ＳＵＬの使用の１つの動機は、異なる周波数で動作するＵＥのカバレッジを拡大するためであり得る。たとえば、ＳＵＬがより低い周波数帯で第２のアップリンクキャリアとして構成されたときにＵＥがＳＵＬ上で送信を実行することができるように、ＵＥは、第１のアップリンクキャリア（たとえば、一次アップリンク（ＰＵＬ）キャリア）に対して、より高い周波数で動作しているように構成され得る。これは、たとえば特に、ＵＥがセルの一次アップリンクキャリアのカバレッジの端に向かって移動するときに有用であり得る。ＳＵＬのもう１つの可能な用途は、取りわけ、特定のサービス、より高いスループット、および／または向上された信頼性を提供することであり得る。たとえば、ＵＥは、複数のセルについての複数のアップリンク上で同時に（またはほぼ同時に、たとえばＴＤＭ方式で）送信を実行するように構成され得る。
【００８３】
いくつかの代表的な実施形態では、ＳＵＬは、２つの別個のアップリンクキャリアに関連付けられたダウンリンクキャリアを有するセルとして（たとえばＮＲにおいて）モデル化され得る。アップリンクキャリアは、ＰＵＬおよびＳＵＬから構成され得る。たとえば、ＰＵＬは、ダウンリンクキャリアも位置する高周波数帯域にあってよく、ＳＵＬは、より低い周波数帯域にあってよい。
【００８４】
１つまたは複数のＳＵＬは、たとえば、（以下に限定されないが、）一次セル（ＰＣｅｌｌ）、二次セル（ＳＣｅｌｌ）、および／またはデュアル接続性のための二次ＰＣｅｌｌ（ＳＰＣｅｌｌ）を含む任意のタイプのセルに対して構成され得る。代表的な実施形態では、ＳＵＬは、単一のセルへの接続を使用して、および／またはデュアル接続性のために構成されたときに動作するＵＥのために構成され得る。別の代表的な実施形態では、ＳＵＬは、マルチＲＡＴデュアル接続性システムのセルで動作するＵＥのために構成され得る。
【００８５】
ＵＥは、たとえばＰＵＬおよび／またはＳＵＬを使用して、セルへの初期アクセスを実行することができる。ＳＵＬの構成情報は、セルについてのシステム情報（ＳＩ）（たとえば、ＷＴＲＵがセルにアクセスするおよび／またはセルにキャンプオンするために必要な最小情報に対応する最小ＳＩ）においてブロードキャストされ得る。たとえば、ＵＥは、サービングセルのダウンリンク品質が閾値を下回る場合に、初期アクセスのためにＳＵＬを選択することができる。閾値は予め構成され得る。
【００８６】
ＲＲＣ接続モードにおけるＵＥに関連付けられたＳＵＬについて異なる動作モードがあり得る。
【００８７】
特定の代表的な動作モードでは、ＲＲＣ（たとえばＲＲＣプロトコル）が、複数のアップリンクを用いてＵＥを構成してよい。いくつかの代表的な実施形態では、１つのアップリンクは、セルの典型的アップリンク構成を有するＰＵＬであってよく、および／または別のアップリンクは、サウンディング基準信号（ＳＲＳ）構成を最小限含み得るＳＵＬであってよい。そのような動作モードでは、ＵＥは、アップリンクにおける制御およびデータ送信（たとえば、すべての制御およびデータ送信）のためにＰＵＬを使用することができる。ＵＥは、ＳＵＬのリソースを使用してＳＲＳを送信（たとえば、追加的に送信）することができる。いくつかの代表的な実施形態では、ＲＲＣ再構成は、たとえば、一部または全部の送信のためのセルに適用可能なアクティブアップリンクキャリアをアクティブ化しおよび／または切り替えるために、異なるキャリアと共に、拡張された、典型的な、および／または場合によっては完全なアップリンク構成を提供し得る。
【００８８】
特定の代表的な動作モードでは、ＲＲＣ（たとえばＲＲＣプロトコル）は、（たとえば、拡張された、典型的な、および／または場合によっては完全なアップリンク構成で）複数のアップリンクを構成することができる。いくつかの代表的な実施形態では、ＵＥは、１つまたは複数のキャリアのリソース上で一部または全部のタイプのアップリンク送信（たとえば、ＰＵＣＣＨ、ＰＵＳＣＨ、および／またはＰＲＡＣＨ送信）を実行するために１つまたは複数の構成（たとえば、十分な構成）を有し得る。いくつかの代表的な実施形態では、ＵＥは、制御シグナリング（たとえば、ＭＡＣの制御要素および／またはＤＣＩ）を受信する（たとえば、その後に受信する）ことができ、制御シグナリングは、たとえば、ＵＬ構成の間のスイッチをアクティブにすることができ、および／または開始することができる。
【００８９】
特定の代表的な動作モードでは、ＲＲＣ（たとえばＲＲＣプロトコル）は、複数のアップリンクを構成することができ、２つ（またはそれより多い）アップリンクの構成は、同時または時分割方式でアクティブであり得る。いくつかの代表的な実施形態では、この動作モードは、ＵＥが、同時に一部または全部のタイプのリンク送信を実行しないように、および／または実行することを必要とされないように制限を含むことができる。たとえば、ＵＥは、複数のアップリンクキャリア上でセルのためのＰＵＳＣＨを同時に送信しなくてよく、および／または送信することを必要とされなくてよい。いくつかの代表的な実施形態では、たとえば特に、ＵＥの機能が、たとえば構成された周波数帯について同時送信がサポートされていないことを示す場合、制限がＵＥに対して構成され得る。
【００９０】
いくつかの代表的な実施形態では、送信（たとえば各送信）について、ＷＴＲＵは、以下のファクタの１つまたは複数に基づくことが可能な電力割当の決定（たとえば判断）を実行しおよび／または行うことができる：
【００９１】
−  １つまたは複数の送信のスケジューリング情報（たとえば、動的スケジューリングのためのＤＣＩ（downlink control information；ダウンリンク制御情報）、半永続的割り振りのための構成されたグラント、および／またはスケジューリングされていない送信に関する情報）；
−  経路損失測定および／または推定（たとえば、１つまたは複数の送信に関連付けられたリソースに適用可能）；
−  利用可能な送信電力（たとえば、ＰCMAX決定される）；および／または
−  １つまたは複数の送信と少なくとも部分的に時間的に重なり得る進行中および／またはスケジューリングされた送信。
【００９２】
いくつかの実施形態では、上記のファクタは、所与の時間に実行される１つまたは複数の送信に対する送信電力の割り振りに関係付けられ得る。
【００９３】
５  アップリンク電力制御関係付けられた代表的な課題
課題１：  送信が時間的に重なることがあり、したがって、利用可能電力のうちの割合が決定される必要があり得る。
【００９４】
より詳細には、送信は、それらが少なくとも部分的に時間的に重なり得るように実行され得る。そのような場合、ＷＴＲＵは送信に対する全体的なＷＴＲＵの利用可能な電力の部分を割り振ることができる。特定の実施形態では、そのような全体的なＷＴＲＵの利用可能な電力は、ＰCMAX値に対応することができる。たとえば、そのような全体的なＷＴＲＵの利用可能な電力は、ＰCMAX値から、他の（たとえば、場合によっては進行中の）送信に既に割り当てられた電力レベルを引いたものに対応することができる。たとえば、ＰCMAX値は、送信に関連付けられた適用可能な波形、ヌメロロジー、および／または周波数帯の関数として計算され得る。たとえば、ＰCMAX値は、帯域外放射、比吸収率（ＳＡＲ）、（Ｐ−）ＭＰＲ適用、またはビーム品質などに関係付けられた規制要件の関数として計算され得る。
【００９５】
課題２：  送信が、異なる送信特性、たとえば、持続期間および／または信頼性要件を有することがある。送信特性は、著しく異なることがある。
【００９６】
より詳細には、送信は、異なる特性に関連付けられ得る。たとえば、特性は、送信の持続期間、特定のタイムライン、たとえばＨＡＲＱタイムライン、物理チャネルのタイプ、物理リソースのセット、ＨＡＲＱ処理のタイプ、優先度（たとえば、他の送信に関係する）、特定の電力要件（たとえば、信頼性のための電力ブースティングおよび／もしくはＴＰＣ表示）、送信信頼性ターゲット、特定のタイプのデータおよび／もしくは論理チャネル／ベアラの表示および／もしくは関連付け、ならびに／またはそれらの構成などを含み得る。１つまたは複数の特性は、送信のプロファイル、たとえば送信プロファイルと呼ばれることがある。
【００９７】
課題３：  送信は、異なるスケジューリング特性、たとえば、ＣＯＲＥＳＥＴ、ＢＷＰ（Band Width Part；帯域幅部分）、調整されていないスケジューラ、タイムラインなどを有することがある。スケジューリング特性は、著しく異なることがある。
【００９８】
より詳細には、そのような送信は、異なるスケジューリング特性に関連付けられ得る。特定の実施形態では、特性は、（該当する場合に）送信をスケジューリングするＤＣＩの物理制御チャネルリソースのセット（たとえば（複数の）ＣＯＲＥＳＥＴ）、ＤＣＩの受信と送信の開始との間のタイミング、トランスポートブロックの送信とトランスポートブロックに関連付けられたフィードバックの送信との間のタイミング（たとえば、このタイミングはＫ２と呼ばれる）、スケジューリングに関連付けられた物理リソースのセット（たとえば、デュアル接続性の場合のＤＣＩに関連付けられたＣＧ）、ＢＷＰなど、を含み得る。そのような特性は、送信プロファイルの特性付けに含まれることがある。いくつかの実施形態では、ＢＷＰは特定のヌメロロジー、特定の帯域幅（たとえば、ＰＲＢの数）、および特定の周波数位置（たとえば、中心周波数）によって特徴付けられ得る連続した物理リソースブロック（ＰＲＢ）のセットに対応することができる。ＷＴＲＵは、所与のキャリアおよび／またはセルに対して１つまたは複数のＢＷＰを用いて構成され得る。
【００９９】
図６は、タイムライン上の複数のＣＧについての代表的な部分的に重なる送信を示す図である。図６を参照すると、少なくとも部分的に時間的に重なる送信の異なるグループが示されている。たとえば、Ｋ２CG2, numerology 1は、ＣＧ２の送信のための第１の送信持続期間（transmission duration）（たとえばＴＴＩ）を示すことができる。Ｋ２CG2, numerology 2は、ＣＧ２の送信のための第２の送信持続期間（たとえばＴＴＩ）を示すことができる。Ｋ２CG1, numerology 1は、ＣＧ１の送信のための第１の送信持続期間（たとえばＴＴＩ）を示すことができる。Ｋ２CG1, numerology 2は、ＣＧ１の送信のための第２の送信持続期間（たとえばＴＴＩ）を示すことができる。第１の送信持続期間（たとえばＴＴＩ）は、第２の送信持続期間（たとえばＴＴＩ）と異なり得る。異なる送信は、たとえば、送信持続期間および／またはＨＡＲＱのＲＴＴ（round trip time；ラウンドトリップ時間）に関して異なるタイムラインを有し得る。それぞれのタイムラインは、１つまたは複数のミニスロット、スロット、またはサブフレーム、およびＫ２の観点で表され得る。いくつかの代表的な実施形態では、Ｋ２は、スケジューリング情報（たとえばＤＣＩ）の受信とトランスポートブロックの送信の開始との間の時間に対応することができる。Ｋ２は、そのようなトランスポートブロックの送信とそれに関連付けられたフィードバックの送信との間の時間に対応することができる。Ｋ２は、送信に適用可能であり得る持続時間（たとえばＴＴＩ）に対応することができる。異なるタイムラインは、非同期な展開の一般的なケースとみなされてよい。異なるタイムラインは、送信のグラントのための異なる受信タイミングによって、および／または処理時間（たとえば、より短い送信持続期間のための不十分な処理時間）によって影響され得る。
【０１００】
課題４：  送信は、異なるネットワークノードおよび／またはＲＡＴに関連付けられることがある。
【０１０１】
送信は、たとえば、所与のＷＴＲＵに対する送信要件が単一のスケジューラによって調整され得るように、単一のネットワークノードによってスケジューリングされ得る。１つの課題は、電力制御に関係付けられることがあり、異なるネットワークノードによって送信がスケジューリングされるときに発生することがあり、電力制御の観点から調整が可能でないことがある。いくつかの実施形態では、ＷＴＲＵは、デュアル接続性（たとえば、２つ以上のセルグループ）を有して構成され得る。たとえば、ＷＴＲＵは、ＬＴＥデュアル接続性、ＮＲマルチ接続性、および／またはＮＲタイトインターワーキングを備えるＬＴＥをサポートすることができる。
【０１０２】
上記の課題は、個別にまたは組み合わせて対処され得る。特定の実施形態では、ＬＴＥまたは別の技術が、デュアル接続性のためのアップリンク電力制御のためにＰＣＭ１およびＰＣＭ２をサポートすることができる。ネットワークは、ＷＴＲＵ上でどの電力制御モード（ＰＣＭ１またはＰＣＭ２）が使用されるかを構成することによって、電力割当のためにＷＴＲＵを制御することができる。
【０１０３】
いくつかの実施形態では、ＰＣＭ１は、たとえば、送信のタイプ（たとえば、送信チャネルの優先順位、すなわち、物理ランダムアクセスチャネル（ＰＲＡＣＨ）＞ＰＵＣＣＨ＞ＰＵＳＣＨ）に基づいて、および／または互いの閾値（たとえば３３μｓ未満）内に開始する送信についての同じタイプの送信の場合のセルグループのタイプ（たとえば、マスタＣＧ＞二次ＣＧ）に基づいて、相対的優先度を定義することができる。ＰＣＭ１は、全体的なＷＴＲＵの利用可能な電力（たとえばＰCMAX）の１００％までの共有を可能にすることができる。
【０１０４】
いくつかの実施形態では、ＰＣＭ２は、たとえば全体的なＷＴＲＵの利用可能な電力（たとえばＰCMAX）のうちの割合として、各構成されたＣＧに関連付けられた送信のための保証電力を定義することができる。残りの電力は、送信が時間的に最初に開始するＣＧの送信に割り当てられ得る。ＰＣＭ２は、場合によっては有用であった電力を未使用のままにするという犠牲を払って、全体的なＷＴＲＵの利用可能な電力の割り当ての保証を可能にし得る。
【０１０５】
５．１  ＮＲ上のアップリンク電力制御に関する代表的な新しい課題
上記の４つの課題は、ＮＲにおいて（たとえば、場合によってはＬＴＥについても同様に）互いに組み合わせて対処され得る。いくつかの実施形態では、異なる送信時間間隔（ＴＴＩ）の持続期間（ＬＴＥとＮＲの両方、およびそれらの組み合わせにおける）、異なりまた場合によっては変化するＨＡＲＱタイムライン、および／または異なるヌメロロジー（ＮＲおよびスタンドアロンＮＲを有するＬＴＥ）に対するサポート、ならびに、場合によってはキャリアアグリゲーションおよび／またはデュアル接続性を有してさらに構成される所与のＷＴＲＵについての組み合わせにおける物理層処理での異なる送信プロファイルを場合によっては可能にする異なるデータサービス（たとえば、ＵＲＬＬＣおよび／またはｅＭＢＢなど）に対するサポートは、全体的なＷＴＲＵの利用可能な電力の効率的な使用の観点からさらに複雑な課題をもたらすことがある。該当する場合、ビームフォーミングの使用によるあり得る影響が、この複雑な問題のリストに追加されることがある。
【０１０６】
いくつかの実施形態では、より短い送信持続期間およびスケジューリング／ＨＡＲＱタイムラインが、動作を非実用的にする（たとえば、送信を実行するのに間に合うようにスケジューリング情報を実装および処理することを非実用的にする）ことがあり、および／または法外な実装コストをもたらすことがある。
【０１０７】
他の実施形態では、ＷＴＲＵが、異なる送信の間で優先順位を付けること、および／または保証量の全体的なＷＴＲＵの利用可能な電力を送信の所与のセットに適用することは、より困難であり得る。この課題は、ＨＡＲＱに関係付けられたタイムラインの動的な変動など（たとえば、グラント情報の受信と送信の開始との間、および／または送信の終了と関係付けられたＨＡＲＱフィードバックの送信の開始との間の時間の変動など）を通じて関連する送信に適用されるスケジューリングに起因する可能性がある。また、それは、少なくとも部分的に時間的に重なるが送信持続期間が異なる送信のスケジューリングに起因することがある。
【０１０８】
特定の実施形態では、効率的な電力共有が実装されて、ＷＴＲＵが任意の所与の時間で全体的なＷＴＲＵの利用可能な電力の１００％に可能な限り近く使用することを可能にし、提供される手順サービスについてシステムが適切に実行できることを保証することができる。
【０１０９】
６  代表的な適応電力割当手順
いくつかの実施形態では、以下の代表的な適応電力割当方式が適用可能であってよく、独立してまたは互いに様々な組み合わせで使用されてよい。加えて、これらの適応電力割当手順は、他の既存の電力割当手順（たとえば、ＬＴＥ  ＰＣＭ１および／またはＰＣＭ２）に適用され、および／または組み合わされて使用されてよい。
【０１１０】
６．１  代表的な構成態様
たとえば、ＷＴＲＵは以下の４つの電力制御アルゴリズム（またはそれらの変形）のうちの１つまたは複数で（たとえば、ＲＲＣまたは他のシグナリングを介して）構成されてよくそれらの各々は、以下でさらに詳細に説明され、それらの各々は、ネットワーク展開シナリオの異なるタイプに対して最も適切な場合があり、たとえば、送信の開始は、同期もしくは非同期および／またはスケジューリング戦略である（たとえば、送信が同じ持続期間であり、および／または同様のＨＡＲＱタイミングを有する）。
【０１１１】
−  ＰＣＭ１（電力共有、同期動作）：
このＰＣＭ１（またはその変形、場合によっては本明細書で説明されている動作を含む）は、ＬＴＥデュアル接続性、ＮＲデュアル／マルチ接続性、ならびに／またはＬＴＥおよびＮＲタイトインターワーキングに関して構成されたＷＴＲＵのような、同様のヌメロロジーおよび／または送信（たとえばＴＴＩ）持続期間を有する送信（たとえば、すべての送信）によって特徴付けられるケースに対して有用であり得る。実施形態において、このＰＣＭ１は、たとえば特定の閾値未満、たとえば重なる送信の開始の間が３３μｓ未満で、同期された展開に使用され得る。
【０１１２】
−  ＰＣＭ２（電力予約、非同期動作）：
ＰＣＭ２（またはその変形、場合によっては本明細書で説明されている動作を含む）は、ＬＴＥデュアル接続性、ＮＲデュアル／マルチ接続性、ならびに／またはＬＴＥおよびＮＲタイトインターワーキングに関して構成されたＷＴＲＵに有用なことがあり、このケースは、送信（たとえば、すべての送信）が同様のヌメロロジーおよび／または送信（たとえばＴＴＩ）持続期間を有するように特徴付けられ得る。実施形態において、このＰＣＭ２は、たとえば、場合によって第１の特定の閾値より大きく、たとえば３３μｓより大きいが、第２の特定の閾値未満、たとえば重なる送信の開始の間が５００μｓ未満で、非同期な展開に適用可能であり得る。
【０１１３】
−  ＰＣＭ３（電力の構成された分割）：
利用可能な送信電力の固定された分割（たとえばハードの分割）に基づくＰＣＭ３が、短いＴＴＩが構成されたＬＴＥデュアル接続性、ＮＲデュアル接続性、ならびにＬＴＥおよびＮＲタイトインターワーキングに関して構成されたＷＴＲＵのために考慮／使用されてよく、このケースは、異なる送信が、異なるヌメロロジーおよび／または送信（たとえばＴＴＩ）持続期間を有することができるように特徴付けられ得る。いくつかの実施形態では、このＰＣＭ３は、たとえば、場合によって第１の特定の閾値より大きく、たとえば３３μｓより大きいが、第２の特定の閾値未満、たとえば重なる送信の開始の間が５００μｓ未満で、非同期な展開に適用可能であり得る。ＰＣＭ３は単純で費用対効果が高く、いくつかの構成では好ましいことがあるが、このモードでは、総利用可能ＷＴＲＵ電力が、動的におよび／または可能な限り効率的に共有されないことがある。
【０１１４】
図７は、全体的なＷＴＲＵの利用可能な電力の代表的な電力の構成された分割を示す図である。図７を参照すると、全体的なＷＴＲＵの利用可能な電力は、複数のＣＧの間で分割されることが可能である。たとえば、ＣＧ（たとえば各ＣＧ）についての任意の所与の瞬間での最小保証送信電力（任意の所与の瞬間における予め定められた範囲内にある値に限定され得る）は、全体的なＷＴＲＵの利用可能な電力のパーセンテージとして設定され得る。各ＣＧについての最小保証送信電力の初期値および／または最小保証送信電力の許容範囲は、シグナリングによって構成され得る。たとえば、それは、Ｌ３もしくはＲＲＣシグナリングによって、Ｌ２もしくはＭＡＣシグナリングによって、または場合によってはＬ１もしくはＰＤＣＣＨシグナリングによって構成されてよい。全体的なＷＴＲＵの利用可能な電力は、図７に示されるようにＰCMAXによって示され得る。（たとえば、電力の構成された分割の場合に関連付けられた）特定の代表的な実施形態では、たとえば少なくともＣＧの送信が互いに重ならないときに、ＣＧ間で残りの電力を共有することが可能でないように残りの電力が存在しないことがある。（たとえばＲＲＣを介する）ＲＲＣシグナリングは、利用可能な送信電力の固定されたおよび／または準固定された（たとえば、準静的な（semi-static））分割を構成することができる。
【０１１５】
−  ＰＣＭ４（動的／適応電力共有）：
ＰＣＭ４は、ＷＴＲＵの全体的に利用可能な送信電力を最大限にするために有用であり得る。ＰＣＭ４は、マルチ接続性、マルチＲＡＴ接続性の観点で上記構成のいずれかで、異なるヌメロロジーおよび／または送信（たとえばＴＴＩ）持続期間の送信をサポートして構成されたＷＴＲＵに有用であり得る。ＰＣＭ４は、（たとえば、同期されたまたは非同期の）展開どれにでも適用可能であり得る。
【０１１６】
送信電力を割り振ることは一般に、（たとえば、ＰＣＭ１およびＰＣＭ２のように）送信パラメータの知識と各送信に必要とされる実際の電力レベルとに基づくことができる。いくつかの実施形態では、残りの電力の部分は、（たとえば、ＰＣＭ２のように）互いに対する送信の相対的タイミングの知識に基づいて割り振られ得る。ＷＴＲＵは、電力レベルの割り振りに先立ってスケジューリング情報を処理するように構成され得る。優先度および／または適用可能な保証は、ＷＴＲＵの固定された構成または準静的な構成のいずれかであり得る。
【０１１７】
６．１．１  代表的な送信プロファイル
いくつかの実施形態では、送信プロファイル（ＴＰ）が、送信に適用可能な１つまたは複数の特性の表現として設定および／または定義され得る。たとえば、特性は、（１）ヌメロロジー、（２）サブキャリア間隔、（３）遅延、たとえば、ダウンリンク制御信号（たとえばＤＣＩ）の受信と送信の開始との間の遅延に対応する値（たとえばＮ）、（４）トランスポートブロックの送信とトランスポートブロックに関連付けられたフィードバックとの間の時間（たとえばＫ２）、ならびに（５）送信に適用可能な持続時間（たとえばＴＴＩ）のうちの任意の１つまたは複数を含み得る。いくつかの実施形態では、物理レイヤは、ＴＰ特性のうちの１つまたは複数についての送信に関連付けられた値の関数として、適用可能なＴＰを決定するように構成され得る。たとえば、ＷＴＲＵは、その中から選択すべき複数の送信プロファイル（ＴＰ）と共に構成されてよく、各ＴＰは、送信を実行するために必要な１つまたは複数のパラメータの値を含む。ＷＴＲＵがスケジューリング情報を受信すると、それは、適用可能なパラメータに対して受信された値を各記憶されたＴＰと比較し、それらのパラメータ  に最も近く合致するＴＰを決定することができる。ＴＰが認識されると、ＷＴＲＵは、そのＴＰに対応するその送信のすべてを一緒にグループ化することができ、ＷＴＲＵは、総ＵＥ利用可能電力のうちどれだけがそのグループに割り当てられる（または残される）ことができるかを算定するためのパラメータの割り振られたセットを有することができる。
【０１１８】
例として、ＴＰ＃１は、Ｋ２＝３である第１の送信持続期間（たとえばミニスロット）に組み合わされた（たとえば、サブキャリア間隔に関する）第１のヌメロロジーに対応してよく、この第１の送信持続期間は３ミニスロットである。別の例として、ＴＰ＃２は、Ｋ２＝１である第２の送信持続期間（たとえばサブフレーム）に組み合わされた第２のヌメロロジーに対応してよく、この第２の送信持続期間は１サブフレームであり、以下同様である。たとえば、特性は、送信電力を割り振るための１つまたは複数のパラメータ（たとえば、電力オフセット／ブーストコンポーネント、または電力を設定するときの優先度など）を含むことができる。特性は、物理層の適用可能な構成を含むことができる。たとえば、構成は、物理リソースブロックの適用可能なセット、物理チャネルのタイプ、またはビームに関係付けられた情報などを含むことができる。いくつかの実施形態では、ビームに関係付けられた情報は、（１）ビーム（またはそのセット）、（２）ビームタイプまたはビームペアリンク（ＢＰＬ）（ここでペアは、１つのダウンリンクビームおよび１つのアップリンクビームに対応し得る）のうちの少なくとも１つに対応することができる。ビームは、基準信号、たとえば、（たとえば、周期的な、準静的な／専用の、もしくは非周期的な）ＣＳＩ−ＲＳ（Channel State Information-Reference Signal）、および／または（たとえばセル固有の）ＮＲ同期シーケンス（ＮＲ−ＳＳ）のための１つまたは複数のリソースにさらに関連付けられ得る。
【０１１９】
一実施形態では、各ＴＰは、インデックスを割り当てられ得る。インデックスは、送信プロファイルを識別することができ、ＤＣＩで受信されることができ、および／または特定のＷＴＲＵプロセスに対応することができる。ＷＴＲＵプロセスは、たとえば、送信のためにトランスポートブロックにおける多重化のためにどの論理チャネルからどのデータが使用され得るかの決定を含むことができる。ＴＰは、たとえばＲＲＣシグナリングによって、ＷＴＲＵの構成態様として特徴付けられ得る。本明細書では、送信プロファイルという用語と上記の任意の特徴付けとは交換可能に使用され得る。
【０１２０】
６．１．２  送信の代表的なグループ（たとえば、ＣＧ、ＭＣＧ、ＳＣＧとしてオーバーロード）
いくつかの実施形態では、グループの送信は、送信特性などの互いのある関連付けを共有する１つまたは複数の送信として設定および／または定義され得る。たとえば、１つまたは複数の送信は、少なくとも部分的に時間的に重なり得る。たとえば、１つまたは複数の送信は、たとえば以下のようなリソースのセットに関連付けられた送信のいずれかに対応することができる：（１）リソースは、セルグループ（ＣＧ）（たとえば、ＭＣＧ、ＳＣＧ））のリソースに対応することができる、（２）リソースは、１つもしくは複数のＣＯＲＥＳＥＴ（control channel resource set；制御チャネルリソースセット）に関連付けられ得る、（３）リソースは、帯域幅部分（ＢＷＰ）に関連付けられ得る、（４）リソースは、ＭＡＣエンティティに関連付けられ得る、（５）リソースは、送信プロファイルに関連付けられ得る、および／または（６）リソースは、特定のヌメロロジー、持続期間（たとえばＴＴＩ）、ビームに関係付けられたリソース、もしくはこれらの組み合わせに関連付けられ得る。加えて、送信は、ＭＣＳ（Modulation and Coding Scheme）、複数のＭＣＳテーブルのうちの１つ（たとえば、超高信頼性の低遅延送信のスケジューリングに関連付けられたＭＣＳテーブルなど）、特定のＲＮＴＩ、複数のＲＮＴＩのうちの１つ（たとえば、超高信頼性の低遅延送信のスケジューリングに関連付けられたＲＮＴＩテーブルなど）に対応することができるリソースによって、グループ化され得る。さらにまた、送信は、論理チャネル（ＬＣＨ）制限、または論理チャネル優先順位付け（ＬＣＰ）手順に関して構成されるような特定のＬＣＨからのデータのマッピングに対応することができるリソースによって、グループ化され得る。
【０１２１】
いくつかの実施形態では、ビームに関係付けられた情報および／またはビームに関係付けられたリソースは、（１）ビーム（またはそのセット）、（２）ビームタイプ、および／または（３）ＢＰＬアイデンティティ（ここでペアは、１つのダウンリンクビームおよび１つのアップリンクビームに対応し得る）のうちの少なくとも１つに対応することができる。ビームは、基準信号、たとえば、ＣＳＩ−ＲＳ（たとえば、周期的、準静的／専用化、もしくは非周期的）、および／またはＮＲ−ＳＳ（たとえばセル固有）のための１つまたは複数のリソースに関連付けられ得る。たとえば、組み合わせは、所与の送信プロファイルの送信のためのＣＧに関連付けられたリソースから構成され得る。そのような組み合わせは、ビームおよび／またはＢＰＬの特定のセットを使用して、送信のためのＣＧに関連付けられたリソースから構成され、またはそれらのリソースを含み得る。
【０１２２】
いくつかの代表的な実施形態では、たとえば、リソースがアクティブである（たとえば、対応するセルおよび／もしくはキャリアがアクティブにされた状態にある、ＢＷＰがアクティブにされた状態にある、ならびに／または対応する物理リソース（たとえば帯域幅）が送信の時間にＷＴＲＵによって処理されている）とＷＴＲＵが決定したときに、ＷＴＲＵは、（たとえば、送信のグループに対する電力の予約のための）「保証された電力レベル（以下、保証電力レベル）」を考慮することができる。他の代表的な実施形態では、たとえば、送信が発生し得る時点についてのスケジューリング情報のＣＯＲＥＳＥＴをＷＴＲＵが復号しているとＷＴＲＵが決定したとき、ＷＴＲＵは、（たとえば、送信のグループに対する電力の予約のための）保証電力レベルを考慮することができる。たとえば、１つまたは複数の送信は、送信プロファイルに関連付けられた送信に対応することができる。たとえば、１つまたは複数の送信は、（１）特定の電力制御ループ（たとえば、閉じられた電力制御ループ）、（２）ＷＴＲＵの能力、特定の範囲の周波数、および／もしくはＷＴＲＵのハードウェア特性（たとえば、低周波または高周波ＲＦチェーン）、（３）特定のタイプの基準信号（たとえば、ＣＳＩ−ＲＳ、復調（ＤＭ）−ＲＳ、ＮＲ−ＳＳ、ＳＳブロック、および／もしくはＳＳバーストセットなど）、および／またはそれらの対応するリソース、（４）特定のタイプの送信（たとえば、ＰＲＡＣＨ送信、ＰＵＳＣＨ送信、および／もしくはＰＵＣＣＨ送信）、ならびに／または（５）フォーマット（たとえば、ＰＵＣＣＨフォーマット１もしくはフォーマット３などの特定のフォーマット）のうちのいずれかに関連付けられた送信に対応することができる。本明細書では、送信のグループという用語と上記の任意の特徴付けとは交換可能に使用され得る。
【０１２３】
いくつかの代表的な実施形態では、送信は、以下のファクタのうちの少なくとも１つに従ってグループ化され得る：
−  処理時間
１．代表的な実施形態では、ＵＥの処理時間が閾値を下回る（および／または閾値に等しい）送信が、送信の第１のグループに関連付けられてよく、ＵＥの処理時間が閾値を上回る（および／または閾値に等しい）送信が、送信の第２のグループの部分であってよい。閾値は、予め構成され得る。いくつかの代表的な実施形態では、ＵＥの処理時間は、制御情報（たとえば、ＤＣＩにおけるグラント）の受信と送信の開始との間の時間であり得る。
２．処理時間は、処理時間の範囲の定義に基づくことができる。時間範囲および／または閾値は、ＵＥの構成態様とすることができ、および／または、動的情報、たとえばＤＣＩにおけるＫ２に基づくことができ、たとえば、ＵＥの構成を可能にすることができ、それにより、たとえば、後でスケジューリングされた送信、および／またはＵＥが特定の処理時間（たとえば、非常に厳しい処理時間）を有する送信に対して、特定の量の保証電力が割り振られることができる。
−  タイプのスケジューリング
１．いくつかの代表的な実施形態では、タイプのスケジューリングは、スロットベースのスケジューリングおよび／または非スロットベースのスケジューリングを含み得る。スロットベースのスケジューリングに関しては、たとえば、ＵＥは、第１のタイムラインを使用して（たとえば、例として０．５ｍｓおよび／または時間的に数個のシンボルにわたるリソース用であり得るスロットの持続期間に等しい各機会の間の最小持続時間を用いて）、スケジューリング情報、たとえばＰＤＣＣＨ上のＤＣＩのための制御チャネルのリソースを復号するように構成され得る。非スロットベースのスケジューリングに関しては、たとえば、ＵＥは、たとえばスロットおよび／またはサブフレーム内のたとえば構成されたパターンに続く１つまたは少数のシンボルの持続期間のＰＤＣＣＨ機会を用いて構成され得る。
２．いくつかの代表的な実施形態では、第１のスケジューリング手順（またはその構成）に従う送信が、送信の第１のグループに関連付けられてよく、第２のスケジューリング手順に関連付けられた送信が、送信の第２のグループに関連付けられてよく、たとえば、ＵＥの構成を可能にすることができ、それにより、特定の量の保証電力が、スケジューリング手順を通じて割り振られることができ、それに対して、ＵＥが特定の処理時間（たとえば、非常に厳しい処理時間）を有し得る。
−  送信のタイプおよび／またはフォーマット
１．いくつかの代表的な実施形態では、たとえばＰＵＣＣＨの送信フォーマットは、（１）適用された伝送符号化、（２）多重化、（３）スクランブリング、（４）物理リソースに対するマッピング、（５）ペイロードの数および／もしくは範囲、（６）情報ビットの数、ならびに／または（７）選択されたコードブックのうちの１つまたは複数によって特徴付けられ得る。
２．いくつかの代表的な実施形態では、第１のＰＵＣＣＨフォーマットに従って実行される送信が、送信の第１のグループに関連付けられてよく、第２のＰＵＣＣＨフォーマットに従って実行されるＰＵＣＣＨ送信が、送信の第２のグループに関連付けられてよく、たとえば、ＵＥの構成を可能にすることができ、それにより、特定の量の保証電力が送信に対して割り振られることができる。たとえば、第１のＰＵＣＣＨフォーマットは、他のフォーマット（たとえば、第２のＰＵＣＣＨフォーマット）よりも高い電力要件（たとえば、送信電力要件）を有すると予想され得る。
−  アップリンクキャリアのタイプ毎（たとえばＳＵＬおよび／またはＰＵＬ）
１．いくつかの代表的な実施形態では、ＰＵＬのアップリンクリソースにおいて実行される送信が、第１のグループに関連付けられてよく、ＳＵＬのアップリンクリソースにおいて実行される送信が、送信の異なるグループに関連付けられてよく、たとえば、ＵＥの構成を可能にすることができ、それにより、ＵＥが（たとえば、セル端にある間に）使用すると予想されるリソースの第１のセット（たとえばＳＵＬ）を使用する送信に対して、特定の量の保証電力が割り振られることができる。
【０１２４】
グループ送信に対する上記のファクタは、先に説明されたグループの方法／手順のうちの１つまたは複数と組み合わされてよい。
【０１２５】
６．２  適応電力制御の代表的な一般原理
いくつかの実施形態では、ＷＴＲＵは、アップリンク送信のための電力割当を制御する１つまたは複数のパラメータの適応を実行することができる。
【０１２６】
６．２．１  代表的な適応電力制御
適応電力制御は、ＷＴＲＵの送信の一部または全部に適用され得る。
【０１２７】
送信は、物理アップリンク共有チャネル（たとえばＰＵＳＣＨ）上の送信、物理アップリンク制御チャネル（たとえばＰＵＣＣＨ）上の送信、物理ランダムアクセスチャネル（たとえばＰＲＡＣＨ）上の送信、基準信号（たとえばサウンディング基準信号、ＳＲＳ）上の送信、またはサイドリンク送信などのうちの１つまたは複数を含んでよく、それらは、たとえば、送信がたとえば時間的に互いに重なるときに、たとえば組み合わされる。
【０１２８】
適応電力制御は、送信の電力レベルを決定するために使用され得る。
【０１２９】
いくつかの実施形態では、電力適応は、以下の少なくとも１つなどの１つまたは複数のパラメータを制御することを含むことができる：
ａ）  目標所望電力。たとえば、これは、所望の受信電力Ｐoおよび／もしくはそれに適用される係数に対応することができる；
ｂ）  補償コンポーネント。たとえば、これは、（たとえば、ＰＵＳＣＨ送信の場合に）係数∞に対応することができる；
ｃ）  送信のフォーマットに関係付けられたコンポーネントに適用される電力のオフセット量および／もしくは係数。たとえば、これは、特定の誤り率および／もしくはＳＩＮＲ、たとえば、Δｆｏｒｍａｔ（たとえば、ＰＵＣＣＨ上のＨＡＲＱ  Ａ／Ｎ、ＳＲ、ＣＱＩ、もしくは組み合わせに関する）またはΔＭＣＳ（たとえば、ＰＵＳＣＨ）を実現するために使用されるオフセットとすることができる；
ｄ）  送信の物理リソースの数に関係付けられたコンポーネントに適用される電力のオフセット量および／もしくは係数。たとえば、これは、ＰＵＳＣＨの送信に使用されるＲＢの数「Ｍ」に対応するコンポーネントに適用され得る；ならびに／または
ｅ）  電力調整。たとえば、これは、（たとえば、電力ブースティングに関する）オフセットおよび／またはスケーリングファクタに対応することができる。別の例として、これは、ＴＰＣ量に適用される調整に対応することができる。
【０１３０】
上記の適応手順は、（たとえば、電力の量が送信のグループに共有され得るときに、電力ブースティングを使用して送信堅牢性を増大すること、および／または異なる送信の必要電力を適応させることを目的として、）上記のパラメータに関して異なる（たとえばグループ毎の）送信に適用され得る。たとえば、ある送信（たとえば、初期ＨＡＲＱ送信、および／または低優先度／ベストエフォートタイプの送信）についての特定の使用または要件が減らされることがあり、他の送信（たとえば、ＨＡＲＱ送信の最大数に近い送信、より高い優先度の送信、低遅延送信、および／もしくは高信頼送信）のための電力（たとえば必要電力）が、（たとえば、異なる送信の相対的優先度に従って電力の割り振りを再分配することによって）増大された電力となることがある。
【０１３１】
他の実施形態では、上記の電力適応手順は、ＷＴＲＵが電力制限されたときにスケーリングの関数として適用され得る。特定の実施形態では、たとえば、場合によっては重なる送信およびＷＴＲＵの処理時間の制約に対応して、異なるタイムラインに対処することができる。
【０１３２】
６．２．１．１  送信の異なるグループの間で全体的なＷＴＲＵの利用可能な電力の一部を割り振るパラメータに対する動的適応
いくつかの実施形態では、送信のグループに対する適用可能な保証電力（たとえば最小電力レベル）、たとえば、送信の異なるグループの間でのＰＸｅＮＢおよび／または残りの電力（存在する場合）の割り振りをＷＴＲＵが動的に決定できるように、１つまたは複数のパラメータが動的に適応／制御され得る。
【０１３３】
ＰXeNBは、送信のグループ「ｘ」に対する保証電力レベルとして定義または設定されてよく、ここで、ｘは、ＷＴＲＵの構成の１つまたは複数の構成されたグループの数の範囲［最小，最大］内に包含的にあり得る。たとえば、範囲［最小，最大］は、デュアル接続性について［２，２］として設定され得る。たとえば、範囲［最小，最大］は、デュアル接続性について［２、４］として設定されてよく、ここで、各ＭＡＣインスタンスは、２つの異なるＴＴＩ持続期間で構成されてよい。異なる組み合わせに基づいて、および／または送信のグループに対して使用される定義に基づいて他の値を設定することが可能であってよい。
【０１３４】
６．２．１．２  送信のグループに対する保証電力の動的変更
いくつかの実施形態では、ＷＴＲＵは、送信のグループに対する最小保証電力レベル、たとえば、ＰXeNBを動的に決定することができる。これは、特定の送信のグループに対する総利用可能ＷＴＲＵ送信電力（たとえばＰCMAX）の比に対応することができる。特定の実施形態では、決定は、ＷＴＲＵによって自律的に実行されてよく、ダウンリンク制御シグナリングの受信からネットワークによって制御されてよく、または両方の組み合わせであってよい。これは、本明細書に記載されている説明に従って実行され得る。
【０１３５】
送信のグループの間における残りの電力の割当てに対する動的変更
【０１３６】
いくつかの実施形態では、ＷＴＲＵは、異なる送信グループの間における残りの電力（存在する場合）の割当てを動的に決定することができる。残りの電力レベルは、送信の各グループに割り当てられた保証電力の量を差し引いた全体的なＷＴＲＵの利用可能な電力（たとえばＰCMAX）に基づいて決定され得る。送信の各グループに割り当てられた保証電力の量は、準静的であってよく、または変動してよい。いくつかの実施形態では、送信の各グループに割り当てられた保証電力の量は変動してよい。たとえば、本明細書に記載されている説明によれば、残りの電力の割当てまたは保証電力の決定のいずれかにおける変動が、保証電力レベルに影響することになる。決定は、ＷＴＲＵによって自律的に実行されてよく、ダウンリンク制御シグナリングの受信からネットワークによって制御されてよく、または両方の組み合わせであってよい。これは、本明細書に記載されている説明に従って実行され得る。
【０１３７】
いくつかの実施形態では、適応は、ＨＡＲＱ送信における相対的優先度および／またはシーケンスを含む送信の送信プロファイルの関数として適用され得る。
【０１３８】
いくつかの実施形態では、ＷＴＲＵのための送信電力を制御するための電力割当アルゴリズムは、以下を含むことができる：
−  ＷＴＲＵは、１つまたは複数の送信のグループに対する保証電力のレベルを自律的に調整することができる；
−  送信のグループに対する保証電力のレベルは、上限と下限との間で変動することができる；ならびに／または
−  送信（またはそのグループ）へ適用する電力調整のレベルは、以前のスケジューリングアクティビティおよび／もしくは以前の送信の関数とすることができる。
【０１３９】
上記の動作は、ＷＴＲＵのための送信電力を制御するための電力割当アルゴリズムの使用を含むことができ、たとえば、本明細書に記載されている説明を使用して実現され得る。
【０１４０】
６．２．１．３  動的予約による代表的な電力割当
いくつかの実施形態では、動的予約による電力割当は、以下に説明されるように、ダウンリンク制御情報を使用して動的にシグナリングされ得る：
ａ）  送信のグループ（たとえば、ＣＧ、送信プロファイル、送信タイプなど毎）の予約および／もしくは保証電力レベルが、動的に修正（たとえば、低減、リセット、または増大）され得る；
ｂ）  優先度が構成されていて、たとえば、ＷＴＲＵが、たとえば異なるスケジューラにより生じる、場合によっては競合する命令を解決できるようにし得る；ならびに／または
ｃ）  たとえば送信をスケジューリング（または予約）する制御シグナリングの受信の時間に基づいて適用され得る「最初（ｆｉｒｓｔ  ｉｎ  ｔｉｍｅ）」ポリシーに関係付けられた優先度。たとえば、ＤＣＩが最初に予約されている送信に、残りの電力レベルが割り当てられ得る。
【０１４１】
６．２．１．４  以前のスケジューリングおよび／または電力による代表的な電力割当
いくつかの実施形態では、電力割当は、以下に説明されるように、以前のスケジューリングアクティビティおよび／または以前の割り振られた電力のいずれかの関数であり得る。
【０１４２】
いくつかの実施形態では、送信のグループ（たとえば、ＣＧ、送信プロファイル、送信のタイプなど毎）に対する保証および／または予約された電力の量が、下限（たとえば、ｌｏｗ＿ｇｕａｒａｎｔｅｅｄ＿ｐｏｗｅｒ＿ｂｏｕｎｄ）と上限（たとえば、ｈｉｇｈ＿ｇｕａｒａｎｔｅｅｄ＿ｐｏｗｅｒ＿ｂｏｕｎｄ）との間で修正（たとえば、低減、リセット、または増大）されることが可能なことを、ＷＴＲＵが決定することができる。
【０１４３】
いくつかの実施形態では、ＷＴＲＵは、そのような量を、送信のグループの送信で以前に有効に使用された電力の量の関数として、たとえば、（たとえば、移動ウィンドウを使用する）特定の量の時間にわたる平均として、低減または増大させることができる。
【０１４４】
いくつかの実施形態では、ＷＴＲＵは、そのような量を、送信のグループの制御リソースの所与のセット（たとえばＣＯＲＥＳＥＴ）についての以前に成功裏に復号されたＤＣＩの量の関数として、たとえば、（たとえば、移動ウィンドウを使用する）特定の量の時間にわたる平均として、低減または増大させることができる。
【０１４５】
他の実施形態では、ＷＴＲＵが送信のグループ（たとえば、ＣＧ、送信プロファイル、送信のタイプなど毎）の送信についてのＤＣＩを成功裏に受信したとＷＴＲＵが決定したとき、および／もしくは別のタイプのイベント（たとえば、送信の他のグループよりも高い優先度の送信、もしくはそれらの必要とされる電力レベルまでが供給されていないグループのいくつかの送信／スケーリングイベント）があると、本明細書で後で節６．３．１．５．３に説明される加法的増大の動作が適用され得る、ならびに／または
【０１４６】
他の実施形態では、ＷＴＲＵが送信のグループ（たとえば、ＣＧ、送信プロファイル、送信のタイプなど毎）の送信についてのＤＣＩを成功裏に受信していないと決定したとき、および／もしくは別のタイプのイベント（たとえば、送信の他のグループよりも高い優先度の送信、もしくはそれらの必要とされる電力レベルまでが供給されているグループのすべての送信／スケーリングイベントがグループに対して発生していない）があると、本明細書で後で節６．３．１．５．７に説明される乗法的減少の動作が適用され得る。
【０１４７】
６．２．１．５  送信期間による代表的な電力割当
いくつかの実施形態では、電力割当は、たとえば、本明細書に説明されているような間の時間的関係に基づく、以前の送信に割り振られた電力の関数とすることができる。特定の実施形態では、時間ｋ（たとえば、ミニスロット、スロット、またはサブフレーム）における所与のグループ（たとえば、ＣＧ、送信プロファイル、送信のタイプなど毎）の送信の電力要件／割り振りレベルが、時間ｋ−ｘにおける以前の送信の場合と同じにすることができ、ここで、ｘは、（たとえば、５もしくは６に）固定されてよく、または（たとえば、ＲＲＣシグナリングによって）構成されてよい。
【０１４８】
６．２．２  代表的な構成態様およびグループ化
特定の代表的な実施形態では、たとえばすべての保証電力レベルの和がＰCMAXよりも小さい、１つまたは複数の保証電力レベルの構成態様が実装され得る。
【０１４９】
たとえば、ＷＴＲＵは、送信のグループについて１つの保証電力レベル（たとえば、ＰXeNB）または２つ以上の保証電力レベル（たとえば、ＰGUARlow_XeNBおよび／またはＰGUARhigh_XeNB）で構成され得る。たとえば、ＷＴＲＵは、すべての構成されたおよび／または適用可能な保証レベルの和が、任意の所与の時間で、（たとえば、残りの電力が零でない値である場合に）全体的なＷＴＲＵの利用可能な電力未満である、または（たとえば残りの電力がない場合に）全体的なＷＴＲＵの利用可能な電力に等しくなるように構成され得る。
【０１５０】
特定の代表的な実施形態では、たとえばすべての保証電力レベルの和がＰCMAXよりも大きい、１つまたは複数の保証電力レベルの他の構成態様が実装され得る。たとえば、ＷＴＲＵは、送信のグループについて１つの保証電力レベル（たとえば、ＰXeNB）または２つ以上の保証電力レベル（たとえば、ＰGUARlow_XeNBおよび／またはＰGUARhigh_XeNB）で構成され得る。たとえば、ＷＴＲＵは、すべての構成されたおよび／または適用可能な保証レベルの和が、少なくとも時として、全体的なＷＴＲＵの利用可能な電力（たとえばＰCMAX）を超えることがあるように構成され得る。そのような場合、ＷＴＲＵは、１つまたは複数の（たとえば追加の）優先順位付け手順を適用して、たとえば、総必要送信電力が全体的なＷＴＲＵの利用可能な電力（たとえばＰCMAX）を超えるときに、たとえば、調整する（たとえば、さもなければ必要とされる電力よりも小さくスケーリングおよび／または割り当てする）べき１つまたは複数の送信の電力を決定することができる。たとえば、ＷＴＲＵは、たとえば、以下の態様のいずれかに従って送信のグループ化の関数として異なる優先順位付けで構成され得る：
（１）送信に関連付けられたＲＡＴ（たとえば、複数の異なるＲＡＴ送信（たとえば、ＬＴＥ送信およびＮＲ送信）があるとき、１つのＲＡＴ送信が１つもしくは複数の他のＲＡＴ送信より優先し得る（たとえば、ＬＴＥ送信は、ＮＲ送信よりも高い優先度を有してよく、もしくは常に有してよい）；
（２）送信に関連付けられたセルグループ（たとえば、ＭＣＧおよびＳＣＧがある場合）。いくつかの代表的な実施形態では、ＭＣＧは、ＳＣＧよりも高い優先を有してよく、もしくは常に有してよい）；
（３）データ送信のタイプ（たとえば、データ送信は、制御情報、たとえば、ＵＣＩ、および／もしくはＲＲＣシグナリングなどを含むことがあり、もしくは含まないことがある）。いくつかの代表的な実施形態では、制御情報を有する送信が、制御情報を有しない送信よりも高い優先度を有してよく、もしくは常に有してよい）；
（４）チャネルのタイプ（たとえば、異なるタイプのチャネルおよび／もしくは信号、たとえば、物理制御チャネル上の送信（たとえば、ＰＵＣＣＨなど）、物理データチャネル上の送信（たとえば、ＰＵＳＣＨなど）、および／もしくは信号（たとえば、ＳＲＳなど））。いくつかの代表的な実施形態では、制御チャネルおよび／もしくは制御チャネル上の送信は、他よりも高い優先を有してよく、もしくは常に有してよい）；ならびに／または
（５）データサービス（たとえば、より高い優先度のデータを含む送信は、電力割当のより高い優先度を有してよく、もしくは常に有してよい）。
【０１５１】
保証電力の和は、全体的なＷＴＲＵの利用可能な電力以下であると考えられるが、本明細書に説明されている手順および／または動作は、上記に開示された優先付け手順／動作の１つまたは複数を用いて全体的なＷＴＲＵの利用可能な電力よりも大きい保証電力でＷＴＲＵが構成された場合に同様に適用可能である。
【０１５２】
特定の代表的な実施形態では、（たとえば、同じセルに属する、または同じヌメロロジーを有する）第１の基準に基づいて第１のグループに一緒にグループ化された送信が、第２の基準に基づいて、より小さなサブグループ（たとえば、ｅＭＢＢサービスに関連付けられた送信の第１のサブグループおよびＵＲＬＬＣサービスに関連付けられた送信の第２のサブグループ、または第１の送信持続期間の送信の第１のサブグループおよび第２の送信持続期間の送信の第２のサブグループ）へさらに分割され得る。そして、第１のグループ（より大きなグループまたはスーパーグループ）に割り当てられた最小保証電力が、サブグループのそれぞれに対するより小さな保証最小電力レベルに細分され得る。言い換えれば、送信の特定のグループに対して保証電力レベルの１つのセットまたは範囲（たとえば、ＰXeNBおよび／またはその範囲）で構成され得るが、特定の実施形態では、そのグループ内のサブグループはそれぞれが、保証電力レベル（たとえば、ＰXeNB_eMBB、ＰXeNB_URLLCのセットまたは範囲を割り当てられ得る。
【０１５３】
送信は、セル、ＢＷＰ、または特定のＣＯＲＥＳＥＴなどによってグループ化され得る。たとえば、送信のグループに対する最小保証電力レベルのセット（たとえば各セット）は、送信グループ化に関係付けられた１つまたは複数の追加の態様（たとえば、データのＱｏＳ、論理チャネル（ＬＣＨ）、送信プロファイル表示、および／またはデータサービスなど）に対応することができる。たとえば、ＷＴＲＵは、送信の特定の態様の関数として適用可能な保証電力レベルを決定することができ、決定された保証電力レベルを使用して送信用の電力を割り振ることができる。これは、たとえば、送信がたとえばＷＴＲＵの構成のセル毎にグループ化されるとき、および／またはスケジューリングされた送信のそのような１つもしくは複数の追加の態様を決定することができるときに適用可能であり得る。たとえば、そのような場合、ＷＴＲＵは、保証電力レベルのセット毎に保証電力レベルを調整することができる。ＷＴＲＵは、保証電力レベルのセット毎の保証電力レベルの動的調整を、そのような動的適応がサポートされているときに行うことができる。これは、適用可能なレベル（たとえば、すべての適用可能なレベル）の和が全体的なＷＴＲＵの利用可能な電力を少なくとも時として超え得る場合に特に適用可能であり得る。
【０１５４】
いくつかの代表的な実施形態では、複数のタイプのグループに関する保証電力レベルの構成態様が実装され得る。たとえば、ＷＴＲＵは、送信の複数のグループを有して構成されてよく、ここで、１つまたは複数のグループは、他のグループと異なるタイプ（たとえば、異なるグループタイプ）であってよい。ＷＴＲＵは、グループタイプが１つまたは複数の他のグループタイプに優先できるように構成され得る。たとえば、ＷＴＲＵは、異なるタイプの送信の１つまたは複数のグループ（たとえば、セル毎の他のグループ）に加えて、プリアンブル送信についての送信グループを有して構成され得る。そのような場合、ＷＴＲＵは、ＳＣＧのセルのリソース上の（たとえば、送信グループ「Ａ」に関連付けられた）プリアンブルの送信（その送信は、さもなければ送信グループ「ＳＣＧ」に関連付けられる）を実行し、（たとえばＳＣＧの）他のグループに関連付けられた保証電力レベルの代わりに、プリアンブル送信グループ化（たとえばグループ「Ａ」）の保証電力レベルを適用することができる。送信のタイプに対して特定の処置（たとえば、そのような送信に対してより高い優先度）を適用することが有用であり、および／または望ましいことがあると考えられる。特定の代表的な実施形態では、ＷＴＲＵは、そのような送信（たとえば、送信グループ「Ａ」に関連付けられたプリアンブル）が、送信がやはり適格であり得る別のグループ（たとえば、ＳＣＧ、たとえば、プリアンブルがＳＣＧのリソース上で送信される場合）の他の送信よりも高い優先度を有すると決定することができ、たとえば、それにより、さもなければその他のグループに利用可能なものから、プリアンブルに割り振られる電力を差し引くことを可能にすることができる。
【０１５５】
６．３  代表的な適応電力制御
以下の適応電力制御は、５Ｇワイヤレスシステム（たとえばＮＲ）の文脈で、他のシステムに対するその適用可能性の限定なしに説明され得る。次に説明される以下の適応電力制御は、部分的に、個別に、組み合わせて、および／または任意の順序で使用され得る。
【０１５６】
いくつかの実施形態において、以下の適応電力制御が実行され得る：
−  送信のグループ毎、たとえば、ＣＧに関連付けられた送信、ＢＷＰ、ＭＡＣインスタンス、物理チャネルのタイプ／セット、無線アクセス技術（たとえば、ＬＴＥおよび／もしくはＮＲ）、送信プロファイル（たとえば、送信時間（たとえばＴＴＩ）持続期間、１つもしくは複数のヌメロロジー、ビームセットなど）；
−  それぞれのスケジューリングを行う制御チャネルのタイプ毎（たとえばＣＯＲＥＳＥＴ）；
−  送信のタイプ毎（たとえば、初期ＨＡＲＱ送信、ＨＡＲＱ再送信、および／もしくは、ＨＡＲＱプロセスの再送信の最大数に達する前の最後の送信）；ならびに／または
−  上記の任意の組み合わせ。
【０１５７】
６．３．１  動的予約を有する代表的な適応電力割当
実施形態において、ＷＴＲＵは、電力制御モードを有して構成され得る。たとえば、モードは、上記のＰＣＭ４に対応することができる。
【０１５８】
６．３．１．１  保証電力レベルに対する代表的な調整
いくつかの実施形態では、ＰＣＭ４（または等価な論理）が、全体的なＷＴＲＵの利用可能な電力リソースの機会主義的使用を実現することに向けられ得る。ＰＣＭ４では、ＷＴＲＵは、以下のうちの少なくとも１つの関数として、１つまたは複数の保証電力レベルを調整することができる：
−  （たとえば、ウィンドウを使用する）送信のグループについてのアップリンク送信のレート（および／または電力消費のレート）；
−  グループについての１つまたは複数の電力スケーリングイベント。特定の実施形態では、ＷＴＲＵがグループについて最大の構成された保証電力を使用する（たとえば、不十分な電力レベル設定に反応する）ように構成されていない間（たとえば、その間のみ）に、電力スケーリングを行うことができる；
−  ダウンリンク制御チャネルで受信された明示的な制御シグナリング（たとえばＤＣＩ）。特定の実施形態では、シグナリングは、特定の制御チャネル（たとえばＣＯＲＥＳＥＴ）上で、および／または送信の特定のグループに対して適用可能であり得る。たとえば、シグナリングは、以下のうちの少なくとも１つを（たとえば、構成のおよび／または値のインデックスによって）示すことができる：
ａ）保証レベルのステップ単位の増大または低減；
ｂ）たとえば絶対値（のインデックス）または表示を使用する、たとえば後述されるようなＰGUARhigh_XeNBを使用する、上限値への移動の表示；
ｃ）たとえば絶対値（のインデックス）または表示を使用する、たとえば後述されるようなＰGUARlow_XeNBを使用する、下限値への移動の表示；
ｄ）たとえば下記のパラメータに従い、たとえば構成のインデックスを使用する、電力制御モードの特定の構成の表示；
ｅ）  予約としてのグラント情報。特定の実施形態では、ＷＴＲＵは、１つまたは複数の送信の電力レベルを決定するために充分なスケジューリング情報を受信することがあるが、送信を実行するように要求されないことがある。次いで、ＷＴＲＵは、送信ベースの予約を実行するために電力割当の決定においてそのようなグラント情報を使用することができる。他の実施形態では、予約は、１つまたは複数のトランスミッター会の間に続いてよく、これは、ＷＴＲＵの構成プロセスであり、および／または受信されたシグナリングで示され得る。予約は、特定の送信のグループ用であってよい。たとえば、予約は、ＷＴＲＵが送信のグループに対するグラントを受信したとき、予約が期限切れになることがある。グラント予約は、たとえば、有用および／または必要な場合に、可能な送信に対応する出力がグループに利用可能であり得ることを確実にするために有用であり得る。
【０１５９】
実施形態において、グラント予約は、ＷＴＲＵが送信を実行するようにスケジューリングされているかのように、１つまたは複数の保証電力レベルを調整する際に考慮され得る。グラント予約は、たとえば、ＷＴＲＵの電力制御実装における調整をより正確に制御するためにネットワークに有用であり得る。
ｆ）優先度調整。特定の実施形態では、ＷＴＲＵは、たとえばグラント情報と共に、優先度情報を受信することができる。ＷＴＲＵは、この表示を使用して、送信のグループの優先度を更新することができる。
【０１６０】
−  ビーム管理またはビームに関係付けられたイベント
特定の実施形態では、ＷＴＲＵは、以下のうちの少なくとも１つの関数として、（たとえば、ゼロを含む任意のレベルに対して保証電力レベルを設定することによって、）１つまたは複数の保証電力レベルを決定するように構成され得る：
（ａ）ＷＴＲＵは、（たとえば、ＣＧ、送信プロファイル、送信のタイプなど毎に）送信のグループについての１つまたは複数のアップリンクビームおよび／またはＢＰＬのセットにおいていかなるアップリンクビームについての有効なダウンリンク（ＤＬ）タイミング基準を有しないことを決定することができる。実施形態において、基準として使用されるＤＬビームは、グループについての１つまたは複数のアップリンクビームおよび／またはＢＰＬのセットの一部であり得る；
（ｂ）ＷＴＲＵは、送信のグループについての１つまたは複数のアップリンクビームおよび／またはＢＰＬのセットにおいていかなるアップリンクビームについての有効なダウンリンク経路損失基準を有しないことを決定することができる。いくつかの実施形態では、基準として使用されるＤＬビームは、グループについての１つまたは複数のアップリンクビームおよび／またはＢＰＬのセットの一部であり得る；
（ｃ）ＷＴＲＵは、送信のグループについて１つまたは複数のアップリンクビームおよび／またはＢＰＬのセットの（たとえば、測定によって示される）不十分なビームリンク品質を決定することができる。いくつかの実施形態では、ＷＴＲＵは、レイヤ３測定値（たとえば、セットにおけるＮ個の最良ビームの平均測定値）が閾値未満であることを決定することができる。閾値は、シグナリングによって構成され得る。他の実施形態では、ＷＴＲＵは、閾値未満であるレイヤ１測定値を決定することができる。閾値は、シグナリングによって構成され得る。レイヤ１測定値は、たとえば、ビーム（もしくは、ＣＳＩ−ＲＳリソースを使用して複数のビームに対して単一の測定が実行される場合は、そのセット）に対する適用可能なＣＳＩ−ＲＳ、またはセル固有ＳＳを使用して、実行または取得され得る。いくつかの実施形態では、レイヤ１測定値は、たとえば、セット／ＢＰＬのすべてのビームについての適用可能なＣＳＩ−ＲＳを使用して、実行または取得され得る。適用可能なＣＳＩ−ＲＳは、（たとえば、経路損失推定、タイミングアライメントトラッキング、ＲＳＲＰ測定に関する）周期的リソース上、（たとえば、場合によってはＲＳＲＰ測定の改善のための）準静的に構成されたリソース上、および／または（たとえば、場合によってはＲＳＲＰ測定をさらに改善するための）非周期的なスケジューリングされたリソース上で、ＣＳＩ−ＲＳを含むことができる；
（ｄ）ＷＴＲＵは、アップリンクビームの一部または全体が、たとえば障害状態において、送信のグループについての１つまたは複数のアップリンクビームおよび／またはＢＰＬのセットに利用不可能であることを決定することができる；
（ｅ）ＷＴＲＵは、送信のグループについての１つまたは複数のアップリンクビームおよび／またはＢＰＬのセットに関してビーム回復が進行中であることを決定することができる；ならびに、
（ｆ）ＷＴＲＵは、送信のグループについての１つまたは複数のアップリンクビームおよび／またはＢＰＬのセットに関してビーム変更（たとえば切り替え）および／または修正（たとえば再構成）が進行中であることを、たとえば、そうしたことが送信にそれらのビームを利用できなくする場合に、決定することができる。
【０１６１】
いくつかの実施形態では、ＷＴＲＵが、ビーム管理またはビームに関係付けられたイベント（ａ）〜（ｆ）において説明された上記の条件のいずれか（またはすべて）がもはや当てはまらないと決定したとき、ＷＴＲＵは、１つまたは複数の保証電力レベルを調整する（たとえば、零でない、既定値、または初期値に設定する）と決定することができる。いくつかの実施形態では、ＷＴＲＵは、グループについての１つまたは複数のアップリンクビームおよび／またはＢＰＬのセットに関して、ビーム回復が成功裏に実行されまたは完了されたことを決定することができ、対応する保証電力レベルを、そのグループの初期（場合によっては構成された）値に調整することができる。
【０１６２】
６．３．１．２  動的電力制御調整に適用可能な代表的なパラメータ
いくつかの実施形態では、ＷＴＲＵは、アップリンク送信に対する電力のＷＴＲＵの割り振りを制御する１つまたは複数のパラメータで構成され得る。たとえば、パラメータは、以下の少なくとも１つを含むことができる。
−  最小保証電力（たとえばＰGUARlow_XeNB）：
【０１６３】
この値は、送信のグループに対して構成され得る。いくつかの実施形態では、グループは、ＭＣＧ、ＳＣＧ、または送信の任意の他のグループに対応することができる。この値は、たとえばＰＣＭ４を使用するときに、グループに可能にされ得る総利用可能ＷＴＲＵ送信電力（たとえばＰCMAX）のうちの最小の可能な割り当てまたは割合に対応することができる。
【０１６４】
保証電力値の０が、低い優先度の送信のグループに対して構成され得る。たとえば、これは、二次グループたとえばＳＣＧに関連付けられたグループの場合であり得る。たとえば、これは、制御シグナリングを含まなくてよいグループの場合、たとえばデータ無線ベアラ（ＤＲＢ）の場合であり得る。たとえば、これは、特定のサービスおよび／または送信プロファイルからのデータを含まなくてよいグループの場合、たとえば、ｅＭＢＢの場合、および／またはベストエフォートタイプの送信により向いた特定のＱｏＳスケジューリング戦略の場合であり得る。
【０１６５】
いくつかの実施形態では、ＷＴＲＵは、送信のグループについての一定期間の（たとえば、スケジューリングおよび／または送信の）非アクティビティの後に、保証電力が最小値（たとえば０）に設定され得ることを決定することができる。例示的な実施形態では、ＷＴＲＵは、グループの送信を実行するために構成されると、非アクティブ期間に続く第１の送信で不十分な（場合によっては０の）送信電力をもたらす可能性があり、その場合、電力制御機能は、以下に説明するように、保証電力のレベルが十分なレベル、たとえば最大保証電力による上限まで迅速に増大できることを確実にするように構成され得る。
−  最大保証電力（たとえばＰGUARhigh_XeNB）：
【０１６６】
この値は、送信のグループに対して構成され得る。いくつかの実施形態では、グループは、ＭＣＧ、ＳＣＧ、または送信の任意の他のグループに対応することができる。この値は、たとえばＰＣＭ４を使用するときに、グループに可能にされ得る総利用可能ＷＴＲＵ送信電力（たとえばＰCMAX）のうちの最大の可能な割り当てまたは割合に対応することができる。１００％（または無限大）の値が、高い優先度の送信のグループに対して構成され得る。たとえば、これは、一次グループたとえばＭＣＧに関連付けられたグループの場合であり得る。たとえば、これは、たとえばＳＲＢのための制御シグナリングを含むことができるグループの場合であり得る。たとえば、これは、特定のサービスおよび／または送信プロファイルからのデータを含まなくてよいグループの場合、たとえば、ＵＲＬＬＣの場合および／またはＱｏＳスケジューリング戦略の場合であり得る。
【０１６７】
特定の実施形態では、ＷＴＲＵは、送信のグループについてのたとえば特定の強度を有する一定期間の（たとえば、スケジューリングおよび／または送信）のアクティビティの後に、保証電力が最大値（たとえば１００％）に向かって徐々に増大され得ることを決定することができる。いくつかの実施形態では、ＷＴＲＵの構成の他のグループに関連付けられたレベルが十分に低減されて、たとえば、グループが送信において主にアクティブであるとき、この増大を可能にすることができる。別の実施形態では、ＷＴＲＵが、１つまたは複数の他のグループについての保証レベルを増大すると決定したとき（たとえば、スケジューリングが他のグループについて再開し得るとき）、ＷＴＲＵは、それに応じて保証レベルを低減することができる。
【０１６８】
６．３．１．３  動的電力レベル調整のためのＷＴＲＵ論理の代表的な概観
いくつかの実施形態では、ＷＴＲＵは、保証電力レベルの調整を実行することができる。特定の実施形態では、調整は、送信の特定のグループに関連付けられた電力制御パラメータに固有であり得る。たとえば、送信のグループ内で、場合によっては重なる送信の間の電力のさらなる割り振りが、ＰＣＭ１（たとえば、スケジューリング情報および／もしくは重なる送信の開始に関して動作が比較的同期する、ＭＣＧにおけるキャリアアグリゲーション）、ならびに／またはＰＣＭ２／ＰＣＭ３（たとえば、ＬＴＥとＮＲの間のデュアル接続性、ＮＲとＮＲ、もしくは異なる持続期間のＴＴＩを有するキャリアアグリゲーションなどの他のケース）の動作に従って実行され得る。
【０１６９】
別の実施形態では、調整のレートは、ウィンドウサイズ（たとえば、イベントのサンプリング周期）、パケット間／バースト、最大許容遅延、および／または制御シグナリング、たとえば、明示的調整の関数であり得る。最大許容遅延に関して、レートは、グループの送信を扱うＨＡＲＱプロセスに関連付けられた送信のＲＴＴの関数であり得る。このようにして、ＷＴＲＵは、ＨＡＲＱプロセスのＨＡＲＱ送信の最大数に到達する前に、送信に必要な伝送電力を割り当てるための手段を有することができる。
【０１７０】
たとえば、ＷＴＲＵは、送信のグループに関連付けられたＨＡＲＱプロセスのＨＡＲＱフィードバックをそれが受信したときに、調整を実行することを決定することができる。たとえば、ＵＥは、ＮＡＣＫの受信があると電力レベルを増大し、またはＡＣＫの受信があると電力レベルを低減することができる。
【０１７１】
そのような許容可能な最大遅延は、所与のＨＡＲＱプロセスの第１の送信のときに開始され得るタイマーによって確立されてよく、それにより、ＷＴＲＵは、それが期限切れになり、ＨＡＲＱプロセスが完了していない（たとえば、ＷＴＲＵはＨＡＲＱプロセスの送信に対するＡＣＫを受信しなかった）ときに、関連付けられたグループの電力レベルを増大することができる。
【０１７２】
６．３．１．４  保証電力レベルを調整するために考慮される代表的なイベント
いくつかの実施形態では、ＷＴＲＵは、調整を行うかどうか、およびどんな調整を行うかを決定する際に、以下のイベントのうちの少なくとも１つを考慮することができる：
−  アップリンクスケジューリング情報の受信；
【０１７３】
いくつかの実施形態では、ＷＴＲＵは、送信のグループのアップリンク送信についてのリソース割り振り情報を示すＤＣＩを受け取ることができる。ＷＴＲＵは、送信のグループに対する現在の電力レベルの増大を決定する際に、これらのイベントを考慮することができる。特定の実施形態では、ＷＴＲＵは、送信のグループに対する現在の保証電力レベルが最大閾値たとえばＰGUARhigh_XeNBを下回るとき、イベントを考慮することができる。
−  アップリンク送信に対する電力の割り振り；
【０１７４】
いくつかの実施形態では、ＷＴＲＵは、送信のグループの１つまたは複数の送信にアップリンク送信電力を割り振ることができる。これは、たとえば、ＰＲＡＣＨリソースで送信されたプリアンブルについて、グラントレス送信について、および／または半永続的もしくは構成されたグラントについて、ダウンリンクスケジューリング情報が受信されているかどうかと関係なくてよい。特定の実施形態では、ＷＴＲＵは、送信のグループに対する現在のレベルの増大を決定する際に、そのようなイベントを考慮することができる。別の実施形態では、ＷＴＲＵは、送信のグループに対する現在の保証電力レベルが最大閾値たとえばＰGUARhigh_XeNBを下回る場合のみに考慮することができる。
−  別の送信のグループの調整（増大／低減）；
【０１７５】
いくつかの実施形態では、ＷＴＲＵは、送信のグループに対する保証電力レベルが変更され得ることを決定することができる。特定の実施形態では、より高い優先度を有する送信の第１のグループに関連してイベントが発生し、その送信のグループに対する（たとえばＵＲＬＬＣ送信の）電力レベルの増大をもたらし、（増大イベントのための）利用可能な残りの電力がない場合、ＷＴＲＵは、現在第２のグループに対する最小レベルでない送信のより低い優先度の第２のグループの電力レベルを低減することができる。
【０１７６】
いくつかの実施形態では、ＷＴＲＵは、送信のグループの保証電力レベルを低減すると決定することができる（低減イベント）。そのような場合、解放された電力の量は、送信の別のグループに再割り当てされ得る。
−  残りの電力の量に対する（複数の）調整；
【０１７７】
いくつかの実施形態では、ＷＴＲＵは、送信のグループの保証電力レベルを低減すると決定することができる。この場合、残りの電力の量はそれに応じて増大することができる。そのような残りの電力の零でない量は、現在の保証レベルがグループに対する最大可能保証レベル、たとえばＰGUARhighを現在下回る送信の他のグループに利用可能にされ得る（増大イベント）。残りの電力は、そのようなグループの保証レベルに、たとえば異なる他のグループの（たとえば構成された）優先順序に従って割り振られ得る。一実施形態では、特定のイベントが送信の特定のグループに対し発生したとＷＴＲＵが決定した場合にのみ、ＷＴＲＵは、残りの電力の一部または全部を送信のその特定のグループに分配することができる。たとえば、そのようなイベントは、グループに対する保証電力レベルの増大をトリガーする任意のイベントを含み得る。そのようなイベントは、グループの電力レベル管理に関連付けられ得る。たとえば、そのような電力レベル管理は、ウィンドウベースの動作を使用することができ、それにより、ＷＴＲＵがグループの電力レベルをまだ増加させていない所与の時間の期間中に、少なくとも１つの増大イベントが発生している。
−  変更を示す受信されたシグナリング；
【０１７８】
いくつかの実施形態では、ＷＴＲＵは、送信の１つまたは複数のグループの１つまたは複数の保証レベルを修正する電力制御表示を受信することができる。これは、たとえば不十分な量の残りの電力がある場合、グループ間のそれぞれの優先度に基づいて適用され得る。これは、変更を示す受信されたシグナリングに従って、送信のグループに関する増大イベントまたは低減イベントに対応することができる。
−  特定の条件に基づく送信のグループに適用される電力スケーリング；
【０１７９】
いくつかの実施形態では、条件は、ＷＴＲＵがすべての利用可能な電力を使用していないこと、たとえば、保証電力レベルが送信の他のグループに必要なものより高く、または送信において他のグループが非アクティブであり得ることを含むことができる。他のグループは、たとえば、電力スケーリングが発生した送信のグループよりも高くない（または低い）優先度のグループを含み得る。別の実施形態では、条件は、ＷＴＲＵが、１つまたは複数のグループの最小レベルを上回る保証レベルで電力スケーリングが行われた送信のグループの優先度よりも高くない（または低い）優先度の少なくとも１つの他のグループを有することを含むことができる。ＷＴＲＵは、送信のグループに対する現在のレベルの増大を決定する際に、イベントを考慮することができる。
−  送信でアクティブなすべての送信グループの電力スケーリング；
【０１８０】
いくつかの実施形態では、ＷＴＲＵは、たとえばすべての利用可能な電力を共有することが理想的であっても、それが電力制限されていると決定することがある。次いで、ＷＴＲＵは、送信の異なるグループを最小レベル（たとえば、さらに低いレベル、たとえばゼロ）に後退させるように決定することができる。特定の実施形態では、調整は、最も低い優先度を有する送信のグループから開始し、昇順の優先度で実行され得る。他の実施形態では、すべての利用可能な電力は、送信の特定の（たとえば構成された）グループ、たとえば、送信の一次グループ（たとえば、ＭＣＧおよび／またはＭＣＧのＰＣｅｌｌ）に利用可能にされ得る。
−  無線リンク障害／無線リンクモニタ（ＲＬＦ／ＲＬＭ）に関係付けられたイベント；
【０１８１】
いくつかの実施形態では、ＷＴＲＵは、送信の特定のグループの物理リソースおよび／またはチャネルの品質が特定の閾値を下回り得ることを決定することができる。たとえば、単一接続性の原理を使用して制御プレーンの再確立をもたらし得る制御プレーンシグナリング（たとえば、例としてＭｅＮＢに関する、シグナリング無線ベアラ（ＳＲＢ）０、ＳＲＢ１、および／またはＳＲＢ２のみ）を搬送できる送信のグループについてのＲＬＦイベントがある。このイベントは、送信の他のグループについて発生することがある。この場合、ＷＴＲＵは、グループの保証電力レベルが（たとえば０まで）低減され得るように、保証レベルの調整を実行することができる。差は、たとえば、より高い優先度を有する送信のグループを優先してスキューするように、送信の別のグループに再割り当てされ得る。
−  ビーム遮断および／またはビーム管理動作；
【０１８２】
いくつかの実施形態では、ＷＴＲＵは、ビームフォーミング問題（たとえば、遮断、同期の喪失など）により、送信の特定のグループの物理リソースおよび／またはチャネルの品質が特定の閾値を下回り得ることを決定することができる。この場合、ＷＴＲＵは、送信のグループに関するＲＬＦ／ＲＬＭイベントについて説明されたのと同様のアクションを実行することができる。
−  他の障害；
【０１８３】
いくつかの実施形態では、ＷＴＲＵは、送信の特定のグループに関連付けられた物理リソース、チャネル、手順、または同様の問題に関係してエラーケースが発生したことを決定することができる。たとえば、これは、グループのランダムアクセス手順を成功裏に完了しないことを含み得る。たとえば、これは、スケジューリング要求手順を成功裏に完了しないことを含み得る。たとえば、これは、アップリンクタイミングアライメントの喪失、たとえば、送信のグループに関連付けられたタイミングアライメントタイマーの期限切れを含み得る。たとえば、これは、送信のグループのタイミング基準の喪失（または追跡／検出の失敗）を含み得る。たとえば、これは、送信のグループの経路損失基準の喪失（または追跡／検出の失敗）を含み得る。たとえば、これは、たとえば送信のグループのビーム管理を目的とする基準信号の喪失（または追跡／検出の失敗）を含み得る。そのような場合、ＷＴＲＵは、送信のグループに関するＲＬＦ／ＲＬＭイベントについて説明されたのと同様のアクションを実行することができる。
−  累積された消費電力；
【０１８４】
いくつかの実施形態では、ＷＴＲＵは、電力の特定の閾値量が送信の特定のグループに消費されたことを決定することができる。特定の実施形態では、そのような（たとえば構成された）閾値に到達すると、ＷＴＲＵは、それが、送信のグループに対する現在の保証電力レベルを（たとえば一定期間に）低減し得ると決定することができる。
−  累積された優先された電力；
【０１８５】
いくつかの実施形態では、ＷＴＲＵは、特定の量の時間中に特定の量の電力が消費されていないことを決定することができる。これは、優先された量およびバケット持続期間の累積のための優先された電力レートの構成に基づくことができる。いくつかの実施形態では、ＷＴＲＵは、優先された電力の量が特定の量に（たとえば一定期間に）達すると、送信のグループに対する保証電力のレベルを増大し得ると決定することができる。
【０１８６】
いくつかの実施形態では、これは、累積された送信電力に関するイベントと組み合わされて適用可能であってよく、たとえば、保証電力レベルの増大は、優先された電力レート、たとえば、その累積された電力レベル量までに従ってよく（たとえば、貸方ベースのメカニズム）、保証電力レベルの低減は、所与の期間において累積された消費電力に従ってよい（たとえば、借方ベースのメカニズム）。たとえば、これは、「バケツ」が時間経過と共に特定のレートを使用して満たされ、送信のグループに電力が使用されると空になるメカニズムであり得る。別の実施形態では、そのようなイベントは、送信のグループ毎に定義され得る。
【０１８７】
６．３．１．５  保証電力レベルの代表的なメンテナンス
６．３．１．５．１  代表的な期間ベースの更新
いくつかの実施形態では、ＷＴＲＵは、時間の期間毎に１つの調整を実行することができる。時間の期間は、ＷＴＲＵの構成に含まれ得る。時間の期間は、送信の各グループについて構成され得る。ＷＴＲＵは、送信のグループ毎に１つのそのような調整を実行することができる。時間の期間（または以下でさらに説明されるウィンドウ）は、送信のグループについての調整の待ち時間、たとえば送信のグループについてのアルゴリズムの応答性に影響し得る。たとえば、レート調整を制御するアルゴリズムは、ＷＴＲＵがそのウィンドウ内の任意の数のイベントを単一の調整を実行する表示とみなす短いウィンドウでより応答性があり得る。逆に、長いウィンドウは、より応答性のない調整レートをもたらすことになる。他の実施形態では、時間の期間は、送信のグループの最小ＴＴＩ持続期間の整数倍でカウントされ得る。他の実施形態では、時間の期間は、既定の時間ユニット、たとえば、サブフレーム持続期間（たとえば１ｍｓ）に対応することができる。
【０１８８】
６．３．１．５．２  代表的なウィンドウベースの動作
いくつかの実施形態では、ＷＴＲＵは、ウィンドウベースの動作を使用して調整を実行することができる。特定の実施形態では、ＷＴＲＵは、所与のタイプのイベント（たとえば、増大または低減）に対して時間ウィンドウ毎にせいぜい１つの調整を実行することができる。ＷＴＲＵは、いくつかのイベント、たとえば、故障事例および／または障害関係イベントに関係付けられたイベントについて、直ちに調整を実行することができる。
【０１８９】
６．３．１．５．３  ファクタによる代表的な加法的増大
いくつかの実施形態では、ＷＴＲＵは、固定された、場合によっては構成された量を追加することによって、保証電力レベルの増加としてウィンドウ毎に１つの調整を実行することができる。たとえば、値は、ＰCMAXの１／１０に等しくてよい。増大の後の更新された保証電力レベルは、上述されたように値（たとえばＰGUARhigh_XeNB）によって上限が設けられてよい。
【０１９０】
６．３．１．５．４  ファクタの倍数による代表的な乗法的増大
いくつかの実施形態では、ＷＴＲＵは、固定されたたとえば構成された量の整数倍を加えることによって、保証電力レベルを増大するように調整することができる。たとえば、ＷＴＲＵは、その現在の保証電力レベルを二倍にすることができる。別の例では、調整は、（たとえば、電力が送信のグループに実際に割り当てられる必要があるときのみに）時間的に離散した瞬間に実行されることができ、イベントが発生したとＷＴＲＵが決定するたびに実行される必要がない。実際、これは、本明細書で節６．３．１．５に論じられている調整方式のいずれかで適用されてよい。この増大は、値（たとえばＰGUARhigh_XeNB）によって上限が設けられてよい。増大後の更新された保証電力レベルは、上述されたように値（たとえばＰGUARhigh_XeNB）によって上限が設けられてよい。
【０１９１】
他の実施形態では、ＷＴＲＵは、現在の保証電力レベルを二倍にすることによって保証電力レベルを増大するように調整することができる。特定の実施形態では、保証電力レベルを二倍にすることは、特定のイベント（たとえば初期送信）があったときに実行されてよく、たとえば、所与のウィンドウおよび／もしくは期間に、非アクティビティの一定期間に続いて、送信のグループの現在のレベルがＰGUARlow_XeNBに等しくあり得るとき、ならびに／または送信のグループの現在のレベルがゼロであるときに実行されてよい。増大の後の更新された保証電力レベルは、上述されたように値（たとえばＰGUARhigh_XeNB）によって上限が設けられてよい。
【０１９２】
６．３．１．５．５  シーケンスを移動する代表的な順次増大
いくつかの実施形態では、ＷＴＲＵは、リストの値、たとえば２０、３０、４０、５０を順次進むことによって調整することができ、たとえば、ＰGUARlow_XeNB＝２０、およびＰGUARhigh_XeNB＝５０である。
【０１９３】
６．３．１．５．６  ファクタによる代表的な減法的低減
いくつかの実施形態では、ＷＴＲＵは、固定された、たとえば構成された量を引くことによって保証電力レベルを低減するように調整することができる。たとえば、値は、ＰCMAXの１／１０に等しくてよい。低減後の更新された保証電力レベルは、上述されたように値（たとえばPGUARlow_XeNB）によって下限が設けられてよい。
【０１９４】
６．３．１．５．７  ファクタの倍数による代表的な乗法的低減
いくつかの実施形態では、ＷＴＲＵは、固定されたたとえば構成された量の整数倍を引くことによって、保証電力レベルを低減するように調整することができる。別の例では、調整は、（たとえば、電力が送信のグループに実際に割り当てられる必要があるときのみに）時間的に離散した瞬間に実行されることができ、イベントが発生したとＷＴＲＵが決定するたびに実行される必要がない。低減は、値、たとえばＰGUARlow_XeNBによって下限が設けられてよい。低減後の更新された保証電力レベルは、上述されたように値（たとえばＰGUARlow_XeNB）によって下限が設けられてよい。
【０１９５】
６．３．１．５．８  シーケンスを移動する代表的な順次低減
いくつかの実施形態では、ＷＴＲＵは、リストの値、たとえば２０、３０、４０、５０を順次後方に進むことによって調整を実行することができ、たとえば、ＰGUARlow_XeNB＝２０、およびＰGUARhigh_XeNB＝５０である。
【０１９６】
６．３．１．５．９  電力レベルの代表的な増大／低減
いくつかの実施形態では、保証電力レベルの増大および低減は、送信のグループに対して特有であり得る。これは、送信のグループ毎の調整のレート、たとえば、送信のグループに対するアルゴリズムの反応性を制御するために有用であり得る。
【０１９７】
６．３．１．６  保証電力レベルを調整するための代表的な追加条件
調整が実行され得るとＷＴＲＵが決定する任意のイベントについて、以下のうちの少なくとも１つを含む追加条件が考慮され得る：
−  残りの電力のレベル、たとえば、残りの電力の量が零でないかどうか。いくつかの実施形態では、ＷＴＲＵは、存在する場合に送信の他のグループに対する保証電力レベルの低減をもたらし得る任意のイベントの処理の後に決定を実行することができる；および／または
−  送信の異なるグループの間の相対的優先度、たとえば、現在のグループが、存在する場合に調整も適用可能であり得る他のグループよりも高い優先度を有しているかどうか。
【０１９８】
６．３．１．６．１  代表的な構成されたアップリンクグラント
構成されたグラント（すなわち、構成されたグラントによってスケジューリングされた送信）は、特別なグループの一部であってよく、またはグループ内で特別な処理を受け取ってよい。具体的には、構成されたグラントは、それらが受ける可能性のある調整に制限を有する場合があり、たとえば、それらから受け取り、および／またはそれらの保証電力レベルを低下させることができないことがある。また、それらは、他の送信とは異なる特定の移動する範囲を有することがある。いくつかの実施形態では、それらは、任意の他のグラントのように扱われることがある。他の実施形態では、それらは完全に除外されることもあり、すなわち、適応が全くサポートされない（電力レベルまたは範囲が常に一定のままである）。いくつかの実施形態では、構成されたグラントを使用してスケジューリングされた送信の優先度が、他の送信の優先度とは異なってよく、たとえば、それらは、残りの電力を割り当てるときに、他の送信よりも高い優先度を有してよい。
【０１９９】
いくつかの実施形態では、ＷＴＲＵは、構成されたアップリンクグラントに使用されおよび／または必要であり得る電力レベルが送信のグループのために予約されているとみなされ得ることを考慮することができる。他の実施形態では、ＷＴＲＵは、グラントを考慮し、構成されたグラントが属するグループの保証電力レベルとは独立して送信に電力を割り振ることができる。この結果として、（たとえば、グループに対するＰGUARhigh_XeNBを超えない）範囲内で、構成された送信の期間（たとえば、ＴＴＩ、ミニスロット、スロット、および／またはサブフレーム）において電力が割り振られ得る。期間は、構成されたアップリンクグラントの送信時間の前および後に、送信が他のトランスミッター会（たとえばＴＴＩ）と重なる任意の期間をさらに含み得る。実施形態において、構成されたアップリンク送信はさらに、たとえば、潜在的なＨＡＲＱ再送信に対するある電力レベルの増加（該当する場合）を可能にするために、動的スケジューリングと同様のイベントとみなされ得る。別の実施形態では、構成されたアップリンク送信は、保証電力調整のために、考慮されるイベントから除外され得る。
【０２００】
６．３．１．６．２  代表的なグラントレス送信
いくつかの実施形態では、ＷＴＲＵは、グラントレス送信、たとえば、ＷＴＲＵが送信のタイミングを自律的に決定する送信を実行することができる。この場合、ＷＴＲＵは、構成されたグラントの挙動と同様の挙動を実行することができる。
【０２０１】
６．３．１．６．３  代表的なチャネル固有（たとえばＰＲＡＣＨ）
いくつかの実施形態では、ＷＴＲＵは、リソースの特定の物理チャネルセット上で、および／または特定の手順に関して送信を実行することができる。たとえば、ＷＴＲＵは、ＰＲＡＣＨ上でプリアンブルの送信を実行することができる。送信は、高い優先度を与えられ得る。他の実施形態では、ＷＴＲＵは、保証レベルとは独立して、可能な限り多くおよび／または必要とされる送信電力を割り当てることができる。いくつかの実施形態では、ＰＲＡＣＨ上の送信がイベントとみなされ得る。ＰＲＡＣＨ上の送信は、送信のグループに対して実行され得る。他の実施形態では、ＰＲＡＣＨ上の送信は、アップリンク送信リソースを取得する目的でプリアンブルが送信するときに実行されてよく、それは、たとえば、ＤＣＩの受信（たとえば、ダウンリンクデータ到着に関する物理ダウンリンク制御チャネル（ＰＤＣＣＨ）命令）によって、または、たとえばシステム情報を要求するためではない、スケジューリング要求（たとえばＲＡ−ＳＲ）によってトリガーされる。いくつかの実施形態では、優先度は、送信のグループ毎および／またはＰＲＡＣＨリソースのセット毎（該当する場合）であってよい。
【０２０２】
他の実施形態では、ＷＴＲＵは、上述されたのと同様の手順／動作を使用して、送信のグループに関連付けられた優先度を自律的に調整することができる。優先度は、値の範囲内で調整されてよく、たとえば、この範囲は送信のグループに固有であってよい。たとえば、これは、たとえば同期な展開（synchronous deployment）において、ＰＣＭ４がＰＣＭ１原理／動作の拡張として設定／定義されている場合に有用であり得る。
【０２０３】
６．３．２  スケジューリング／送信アクティビティによる代表的な適応電力割当
いくつかの実施形態では、ＷＴＲＵは、電力制御モードを有して構成され得る。たとえば、モードは、上述されたＰＣＭ４の変形に対応することができる。この変形は、非アクティビティタイマー（ｉｎａｃｔｉｖｉｔｙ  ｔｉｍｅｒ）に基づくことができる。
【０２０４】
特定の実施形態では、ＷＴＲＵは、それが第１の送信が実行され得ると決定したときに非アクティビティタイマーを開始することができる。非アクティビティタイマーはＷＴＲＵ上で構成され得る。非アクティビティタイマーは送信のグループ毎に構成され得る。非アクティビティタイマーは、ＷＴＲＵがＤＣＩを受信した時間から、または対応する送信の時間に開始され得る。別の実施形態では、非アクティビティタイマーは、実行されていない場合、送信のグループの第１の送信に対して開始され得る。他方で、既に実行されている場合、ＷＴＲＵは、送信のグループの第１の送信のために非アクティビティタイマーを再開することができる。
【０２０５】
いくつかの実施形態では、ＷＴＲＵは、タイマーが実行されている間に第１の特定の保証電力レベルを使用すると決定することができる。たとえば、これは、ＰGUARhigh_XeNBなどに対応することができる。他の実施形態では、ＷＴＲＵは、第２の特定の保証電力レベルを使用して保証電力レベルを決定することができる。たとえば、これは、ＰGUARlow_XeNBなどに対応することができる。
【０２０６】
他の実施形態では、ＷＴＲＵは、保証電力レベルの増大をもたらすイベントなど、本明細書で説明されているのと同様のイベントを使用して、非アクティビティタイマーをいつ開始または再開するかを決定することができる。たとえば、ＷＴＲＵは、保証電力レベルの低減をもたらし得るイベントに関して非アクティビティタイマーを停止することができる。
【０２０７】
６．３．３  時間依存による代表的な電力割当
６．３．３．１  代表的なＰＣＭ２：「最初（Ｆｉｒｓｔ  ｉｎ  ｔｉｍｅ）」が「最初にＤＣＴ（ｆｉｒｓｔ  ｔｏ  ＤＣＩ）」になる
いくつかの実施形態では、ＷＴＲＵは、ＰＣＭ２と同様の電力制御モードを有して構成されてよく、たとえば、残りの電力は、ダウンリンク制御情報（ＤＣＩ）の受信の時間の関数として送信のグループに割り当てられてよく、残りの電力は、最初に送信を開始し割り振りを提供する時間ベースの動作の代わりに、（たとえば、最初に成功裏に復号されたＤＣＩの開始シンボルに基づいて、）スケジューリングされた送信のグループに最初に利用可能にされる。
【０２０８】
６．３．３．２  以前の送信への代表的なリンク
いくつかの実施形態では、ＷＴＲＵは、以下のいずれかの関数として電力共有／電力予約の自律的決定を実行することができる：
−  ＨＡＲＱプロセスのための初期送信の電力割当とその再送信との間の関係（たとえば、少なくとも同じ保証レベルまたは優先度が、初期送信に使用されたように再送信に使用され得る）。実施形態において、これは、スケジューリング情報から決定された新しいデータ表示（Ｎｅｗ  Ｄａｔａ  Ｉｎｄｉｃａｔｉｏｎ：ＮＤＩ）に基づくことができる。
−  以前の送信との関係。いくつかの実施形態では、図８に示されるように、ＬＴＥおよびＮＲインターワーキング（ＭｅＮＢとして機能するＬＴＥ  ｅＮＢとのデュアル接続性）において、ＮＲスロットは、ＮＲについて２スロットのＤＣＩからグラントの遅延を伴って０．５ｍｓ持続するとみなされ得る。それがモデムのＬＴＥ部分への変更を最小限にしようとすると、ＬＴＥについてルックアヘッドが許容されないことがある。図８は、（たとえば、ＬＴＥおよびＮＲに基づく）デュアル接続性での代表的な送信を示すタイミング図である。図８は、時間依存の実施形態による電力割当、たとえば、ＮＲにおける（たとえば、ＮＲスロットｋ−８での）アップリンクグラント８０１の受信とその対応する送信８０３との間のタイミング関係を示している。ＬＴＥ８０５（たとえばＬＴＥサブフレームｉ−４）におけるアップリンクグラントの受信とＬＴＥサブフレームｉにおける対応する送信８０７との間のタイミング関係も示されている。図８は、２つの重なる送信を、１つはＮＲスロットｋにおいて、１つはＬＴＥサブフレームｉにおいて示す。ＬＴＥサブフレームｉの電力を決定するために、ＷＴＲＵは、ＮＲスロットｋ−７までのＮＲグラントの知識を使用することができる。スロットｋにおけるＮＲの実際の電力要件は、ＮＲスロットｋ−２の後に認識され得る。この場合、以下のオプションがあり得る：
−  オプション１は、ＬＴＥサブフレームｉに対応する時間期間中にＬＴＥがすべての「残りの電力」を使用するのを可能にすることである。これは実質的に、ＬＴＥが常にＮＲよりも高い優先度を有することを意味し得る。いくつかの実施形態では、これは、ＬＴＥマスタを有するＥＮ−ＤＣシナリオ（すなわち、異なる無線アクセス技術のｅＮＢとのデュアル接続性、この場合、ＬＴＥがＭｅＮＢであり、ＮＲがＳｅＮＢである）において有効であり得る。ＮＲがＵＲＬＬＣに使用される場合、大きな保証電力が構成される必要があり得る。
−  オプション２は、不公平を減じるために、ＮＲスロットｋにおけるＮＲの電力要件が、ＮＲスロットｋ−６（またはｋ−５）におけるのと同じであると仮定することである。スロットｋ−５とスロットｋの間のＮＲ電力要件が低減した場合、電力が「浪費される」可能性がある。
【０２０９】
いくつかの実施形態では、サブフレームｉにおけるＬＴＥの電力割当は、ＮＲスロットｋにおける実際の送信を考慮に入れてもよい。実施形態において、いくつかのＬＴＥ送信をスケールダウンするかどうかの決定が、ＮＲと同時に行われ得る。これは実現可能であり得るが、異なるタイムラインの混合を避けることが望ましいことがある。
【０２１０】
６．３．３．３  代表的な電力割当および送信フォーマット
代表的な実施形態では、ＵＥは、送信フォーマットに基づいて送信を優先順位付けすることができる。たとえば、ＵＥは、たとえば第１のＰＵＣＣＨおよび第２のＰＵＣＣＨに送信電力を割り振りとき、第２のＰＵＣＣＨフォーマットよりも高い優先度として第１のＰＵＣＣＨフォーマットを優先順位付けすることができる。別の代表的な実施形態では、ＷＴＲＵは、送信のタイプおよびそれぞれの送信フォーマットに基づいて、送信を優先順位付けすることができる。たとえば、ＵＥは、たとえば第１のＰＵＣＣＨフォーマットを使用するＰＵＣＣＨタイプのアップリンク制御チャネルを、たとえばアップリンク制御情報を有しないＰＵＳＣＨタイプのアップリンクデータチャネルよりも高い優先度として優先順位付けすることができる。他方で、ＵＥは、たとえばアップリンク制御情報を有するＰＵＳＣＨタイプのアップリンクデータチャネルの第１の送信を、たとえば第２のＰＵＣＣＨフォーマットを使用するＰＵＣＣＨタイプのアップリンク制御チャネルの第２の送信タイプよりも高い優先度として優先順位付けすることができる。
【０２１１】
いくつかの代表的な実施形態では、ＷＴＲＵは、電力割当の関数として、所与のタイプの送信（たとえばＰＵＣＣＨ送信）の送信フォーマットを選択することができる。これは、ＰＵＣＣＨにおけるビット数が、ＰＵＣＣＨ送信の必要とされる伝送電力の決定におけるファクタであるからである。したがって、ＰＵＣＣＨに必要とされる電力の量を低減するために、ＷＴＲＵは、より少ないビットでＰＵＣＣＨフォーマットを選ぶことができる。コードブロックグループ（ＣＢＧ）ベースのフィードバックは、より多くのビットを必要とし、したがって、より多くの電力を必要とするため、関連する送信のグループに利用可能な電力が十分なときに選択されてもよい。たとえば、ＷＴＲＵは、コードブロックグループ毎のＨＡＲＱフィードバック（たとえば、ＣＢＧベースのフィードバック）を報告するために十分なビット数などの特定数のアップリンク制御情報ビットを有するＰＵＣＣＨフォーマットを選択することができる。別の例として、ＷＴＲＵは、送信に対する電力の割り振りに対するフォーマットの影響の関数としてＰＵＣＣＨフォーマットを選択することができる。そのような場合、ＷＴＲＵは、ＣＢＧベースのＨＡＲＱフィードバックをサポートするフォーマットなどの、必要な数のアップリンク制御情報（ＵＣＩ）ビットを有するＰＵＣＣＨフォーマットを選択することができる。たとえば、ＷＴＲＵは、それが、そのような送信に対する電力の割り振りがフィードバック自体の送信および／または別の送信のための送信電力のスケーリングをもたらさないと決定する場合、必要な数のＵＣＩビットを有するフォーマットを選択することができる。そうでない場合、ＷＴＲＵは、（たとえば、ＣＢＧベースのフィードバックよりも少数のビットを有する）トランスポートブロック（ＴＢ）毎のＨＡＲＱフィードバックをサポートするフォーマットなどの、より少ないＵＣＩビットをサポートするＰＵＣＣＨフォーマットを選択することができる。
【０２１２】
６．４  保証レベルの調整に関する上記原理の代表的な例示的結果
いくつかの実施形態では、ＷＴＲＵは、送信のグループが時間の特定の期間にわたってグループの保証電力未満を使用していると決定し、保証レベルを、たとえば（ＷＴＲＵ用の構成であり得る）特定の最小レベルまで、徐々に低減することができる。
【０２１３】
同様に、ＷＴＲＵは、送信のグループが時間の特定の期間にわたってグループの保証電力よりも多くを（たとえば、残りの電力の割り当てから）使用していると決定し、保証レベルを、たとえば場合によっては（ＷＴＲＵ用の構成態様であり得る）特定の最大レベルまで、徐々に増大することができる。
【０２１４】
いくつかの実施形態では、ＷＴＲＵは、送信の少なくとも１つのグループについて少なくとも１つのスケーリングイベントが発生した場合、これらの決定を実行することができる。時間の同じ期間中に送信のすべてのグループにスケーリングが適用されない可能性がある（すなわち、一部のグループはこの時点でスケーリングされず、他のグループはスケーリングされることがある）。他の実施形態では、ＷＴＲＵは、電力レベルをさらに調整するために、段階的調整、または絶対値（たとえば、ＤＣＩで受信された値のインデックスに基づく）のいずれかで示すダウンリンク制御シグナリングを受信することができる。動的調整後に割り当てられないままの利用可能電力の部分は、残りの電力に割り当てられ得る。
【０２１５】
いくつかの実施形態では、ＷＴＲＵは、送信の１つのグループについてスケーリングイベントが発生したことを決定することができる。この場合、ＷＴＲＵは、残りの電力の部分を送信のグループに割り当てることができる。他の実施形態では、ＷＴＲＵは、特定の量の時間の間、たとえば、スケーリングが最初に発生した送信の完了に対応する時間の間、割り当てを実行することができる。別の実施形態では、ＷＴＲＵは、特定の量の時間の後に、たとえば、送信のグループの最も早い可能なスケジューリング機会に対応する時間の後に、割り当てを実行することができる。
【０２１６】
いくつかの実施形態では、ＷＴＲＵは、送信の第１のグループのスケーリングイベントが、特定のレベルに戻る（たとえばバックオフ）送信の他のグループの保証レベルをもたらすことを決定することができる。実施形態において、これは、後続の送信のための送信の第１のグループを争うおよび／または可能にするより多くの残りの電力が存在することができ、したがって、それはその保証レベルを増大し得るので、有用であり得る。
【０２１７】
６．４．１  保証レベルの調整のための上記原理の代表的な結果
図９は、変動する残りの電力を有する代表的な動的なアップリンクの電力制御の手順を示す図である。図９に示される代表的な動的なアップリンクの電力制御の手順は、たとえば、（たとえば、調整されていないＴＰに関して）異なるＴＰに関連付けられた送信の調整されていないスケジューリングの場合に適用可能であり得る。図９を参照すると、示された送信の各グループのために予約された電力（たとえば各電力）は、それぞれＰTP1およびＰTP2として示され、各送信電力、ＰTP1およびＰTP2は、ＰCMAXのうちの割合として表される。全体的なＷＴＲＵの利用可能な電力はＰCMAXとして示される。ＰTP1およびＰTP2は、範囲内で、たとえば、それぞれΔＰTP1およびΔＰTP2で変動し得る。ΔＰTP1は、ＴＰ１の最大電力とＴＰ１の最小電力との間の電力差であり得る。ΔＰTP2は、ＴＰ２の最大電力とＴＰ２の最小電力との間の電力差であり得る。そのような変動は、たとえば、ＤＣＩおよび／もしくはそのコンテンツの受信、スケジューリングアクティビティ、無線リンク品質、ビームリンク品質、追加的電力増大動作／手順／方法、ならびに／または乗法的低減動作／手順／方法などに基づいて、本明細書に説明されている手順／動作のいずれかに従って行われ得る。他の代表的な実施形態では、残りの電力の量が変動し得る。たとえば、１つまたは複数のＴＰは、それぞれの保証範囲内でそれらの電力レベルを調整（たとえば、増大または低減）しながら、電力レベル（たとえば、それぞれのΔＰTPまで）を残りの電力量へまたは残りの電力量から交換することができる。次いで、たとえば最もアクティブなＴＰを優先して、残りの電力が低減され得る。たとえば、残りの電力は、以下のように計算され得る：
【０２１８】
残りの電力＝ＰCMAX＊［１−（Ｐ’TP1＋Ｐ’TP2）］であり、ここで、Ｐ’TP1は、（ＰCMAXのうちの割合として表される）ＴＰ１の実際の送信電力であり、Ｐ’TP2は、（同様にＰCMAXのうちの割合として表される）ＴＰ２の実際の送信電力である。
【０２１９】
６．４．２  保証レベルの調整のための上記原理の代表的な結果
図１０は、一定の残りの電力を有する代表的な動的なアップリンクの電力制御の手順を示す図である。図１０に示される代表的な動的なアップリンクの電力制御の手順は、たとえば、（たとえば、調整されたＴＰに関して）異なるＴＰに関連付けられた送信のための調整されたスケジューリングの場合に適用可能であり得る。図１０を参照すると、送信の各グループに予約された電力（たとえば各電力）はそれぞれＰTP1およびＰTP2として示される。全体的なＷＴＲＵの利用可能な電力はＰCMAXとして示される。ＰTP1は、ＴＰ１の最大電力境界とＴＰ１の最小電力境界との間の範囲内で変動し得る。ＰTP2は、ＴＰ２の最大電力境界とＴＰ２の最小電力境界との間の範囲内で変動し得る（図１０に図示せず）。範囲内の変動は、たとえば、ＤＣＩおよび／もしくはそのコンテンツの受信、スケジューリングアクティビティ、無線リンク品質、ビームリンク品質、追加的電力増大動作／手順／方法、ならびに／または乗法的低減動作／手順／方法などに基づいて、本明細書に説明されている動作／手順／方法のいずれかに従って行われ得る。他の代表的な実施形態では、残りの電力の量は、固定および／または半固定され得る。たとえば、複数のＴＰは、電力レベルを交換することができる（ならびに／または、場合によってはそれぞれの可能にされた保証電力レベル範囲内でそれらの電力レベルを調整（たとえば、増大もしくは低減）しながら、互いの間で増加電力レベルを交換することができる）。次に、残りの電力は、一定のままにすることができる。上記の場合に、残りの電力について零でない量は、より高い優先度の送信のグループへの電力の割り振りに対する迅速な反応を確実にし得る。たとえば、残りの電力は、以下のように計算され得る：
【０２２０】
残りの電力＝ＰCMAX−（ＰTP1_DEFAULT＋ＰTP2_DEFAULT）であり、ここで、ＰTP1_DEFAULTはＴＰ１の初期最小保証電力であり、ＰTP2_DEFAULTはＴＰ２の初期最小保証電力であり、各送信電力はＰCMAXのうちの割合として表される。
【０２２１】
２つのＴＰのみが示されているが、手順および残りの電力は、たとえば、残りの電力の式を修正して、調整されたＴＰの数に関して適切な数の調整（たとえば減少）を含めることによって、任意の数のＴＰと共に使用され得る。
【０２２２】
６．４．３  保証レベルの調整のための上記原理の代表的な結果
いくつかの代表的な実施形態では、ＷＴＲＵは、以下によって特徴付けられるＰＣＭを有して構成され得る：（１）たとえばＢＷＰ、ＴＴＩ、および／もしくはＲＴＴなどのいずれかを含む送信プロファイル（ＴＰ）に基づく、送信のグループ化；（２）構成された（たとえば各構成された）ＴＰｉのための（たとえばＲＲＣによって構成された）初期最小保証電力ＰTP_DEFAULT；（３）ＴＰ毎または１つのＴＰ（たとえば１つのＴＰのみ）について（たとえば、図１０におけるＰTP1および／もしくはＰTP2について）の最小保証電力の電力レベルの範囲（ＰTP_min、および／もしくはＰTP_max）；ならびに／または（４）ＰTP_min≦ＰTP_DEFAULT≦ＰTP_maxなど。
【０２２３】
いくつかの代表的な実施形態では、ＷＴＲＵは、ＴＰx（ＰTPx）に対する保証電力レベルを示すことができるダウンリンク制御シグナリング（たとえば、ＤＣＩおよび／または１つもしくは複数のＭＡＣ  ＣＥ）を受信することができる。ＷＴＲＵは、以下のいずれかに従って保証電力レベルＰ’TPxを調整することができる：（１）ＰTPx_min≦Ｐ’TPx≦ＰTPx_max；（２）図１０に示されるような一定の残りの電力に関して、たとえば、ＷＴＲＵは、保証電力を別のＴＰに割り当てることによって、もしくは別のＴＰから保証電力を得ることによってＰ’TPxを増大または減少させることができる；ならびに／または（３）図９に示されるような変動する残りの電力に関して、ＷＴＲＵは、残りの電力に保証電力を割り当てることによって、もしくは残りの電力から保証電力を得ることによってＰ’TPxを増大または減少させることができる。
【０２２４】
いくつかの代表的な実施形態では、ＷＴＲＵは、たとえば、（１）グループのすべての送信電力の和がＰ’TPになるように、および／または（２）すべてのＰ’TPの和が（たとえば常に）ＰCMAX以下になるように、異なるＴＰグループの送信に電力を割り振ることができる。
【０２２５】
他の代表的な実施形態では、ＷＴＲＵは、スケジューリングアクティビティの関数として電力レベル［ＰTP_min、ＰTP_max］の範囲内で保証電力レベルＰ’TPを調整する（たとえば、自律的に調整する）ことができる。たとえば、ＷＴＲＵは、ＷＴＲＵが特定のＴＰについてより高いＤＣＩレートを決定したときにＰ’TPを増大させ、そうでない場合にＰ’TPを低減させることができる。
【０２２６】
７  結言
以下の内容は、本明細書で参照によってそれぞれ組み込まれる：［１］  （非特許文献１）；［２］  （非特許文献３）；および［３］  （非特許文献３）。
【０２２７】
特徴および要素が特定の組み合わせで上記に説明されているが、各特徴または要素は単独でまたは他の特徴および要素との任意の組み合わせで使用され得ることは、当業者には認識されよう。加えて、本明細書で説明された方法は、コンピュータまたはプロセッサーによる実行のためにコンピュータ可読媒体に組み込まれたコンピュータプログラム、ソフトウェア、またはファームウェアで実装されてもよい。非一時的コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクまたは取り外し可能なディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアに関連するプロセッサーが、ＷＴＲＵ１０２、ＵＥ、端末、基地局、ＲＮＣ、または任意のホストコンピュータで使用する無線周波数トランシーバーを実装するために使用され得る。
【０２２８】
さらに、上述された実施形態では、処理プラットフォーム、コンピューティングシステム、コントローラ、およびプロセッサーを含む他のデバイスが言及されている。これらのデバイスは、少なくとも１つの中央処理装置（「ＣＰＵ」）、およびメモリを含んでよい。コンピュータプログラミングの当業者の慣習によれば、動作または命令の行為および記号表現の参照は、様々なＣＰＵおよびメモリによって実行されてよい。そのような行為および動作または命令は、「実行される」、「コンピュータにより実行される」、または「ＣＰＵにより実行される」と呼ばれることがある。
【０２２９】
当業者は、行為および記号表現された動作または命令が、ＣＰＵによる電気信号の操作を含むことを認識するであろう。電気システムは、データビットを表し、データビットは、電気信号の結果の変換または低減、およびメモリシステム内のメモリ位置におけるデータビットの維持を引き起こし、それによりＣＰＵの動作を再構成しまたは別の方法で変更し、また信号の他の処理を引き起こすことができる。データビットが維持されるメモリ位置は、データビットに対応するまたはこれを表す、特定の電気的、磁気的、光学的、または有機的性質を有する物理的位置である。代表的な実施形態は、上述されたプラットフォームまたはＣＰＵに限定されないこと、ならびに他のプラットフォームおよびＣＰＵが、提供される方法をサポートしてよいことが理解されるべきである。
【０２３０】
データビットは、磁気ディスク、光ディスク、およびＣＰＵによって読み取り可能な他の任意の揮発性（たとえば、ランダムアクセスメモリ（「ＲＡＭ」））または不揮発性（たとえば、読み出し専用メモリ（「ＲＯＭ」））の大容量記憶システムを含むコンピュータ可読媒体上で維持されてもよい。コンピュータ可読媒体は、協働するまたは相互接続されたコンピュータ可読媒体を含んでよく、これらのコンピュータ可読媒体は、もっぱら処理システム上に存在する、または処理システムに対してローカルであってもよいしリモートであってもよい複数の相互接続された処理システムの間で分散される。代表的な実施形態は上述されたメモリに限定されないこと、ならびに他のプラットフォームおよびメモリが、説明された方法をサポートしてよいことが理解される。
【０２３１】
例示的な実施形態では、本明細書において説明される動作、プロセスなどのいずれも、コンピュータ可読媒体上に記憶されたコンピュータ可読命令として実装されてよい。コンピュータ可読命令は、移動体ユニット、ネットワーク要素、および／または他の任意のコンピューティングデバイスのプロセッサーによって実行されてよい。
【０２３２】
システムの態様のハードウェア実装形態とソフトウェア実装形態との間に残された区別はほとんどない。ハードウェアまたはソフトウェアの使用は、一般に（一定の状況では、ハードウェアとソフトウェアの選択は重要になることがあるので、常にではないが）、コスト対効率トレードオフを表す設計選択である。本明細書において説明されるプロセスおよび／またはシステムおよび／または他の技術が達成され得る様々な媒体（たとえば、ハードウェア、ソフトウェア、および／またはファームウェア）があり得るが、好ましい媒体は、プロセスおよび／またはシステムおよび／または他の技術が展開される状況と共に変化し得る。たとえば、実装者が、速さおよび正確さが最重要視されることを決定した場合、実装者は、主にハードウェア媒体および／またはファームウェア媒体を選ぶであろう。柔軟性が最重要視される場合、実装者は、主にソフトウェア実装形態を選ぶであろう。あるいは、実装者は、ハードウェア、ソフトウェア、および／またはファームウェアの何らかの組み合わせを選ぶであろう。
【０２３３】
前述の詳細な説明は、ブロック図、フローチャート、および／または例の使用を介して、デバイスおよび／またはプロセスの様々な実施形態を示してきた。そのようなブロック図、フローチャート、および／または例が１つまたは複数の機能および／または動作を含む限り、そのようなブロック図、フローチャート、または例における各機能および／または動作は、広範囲のハードウェア、ソフトウェア、ファームウェア、またはそれらの事実上あらゆる組み合わせによって、個々におよび／またはまとめて実装されてよいことが、当業者によって理解されるであろう。適切なプロセッサーは、例として、汎用プロセッサー、専用プロセッサー、従来のプロセッサー、デジタル信号プロセッサー（ＤＳＰ）、複数のマイクロプロセッサー、ＤＳＰコアと関連する１つもしくは複数のマイクロプロセッサー、コントローラ、マイクロコントローラ、特定用途向け集積回路（ＡＳＩＣ）、特定用途向け標準品（ＡＳＳＰ）、フィールドプログラマブルゲートアレイ（ＦＰＧＡ）回路、他の任意のタイプの集積回路（ＩＣ）、および／または状態機械を含む。
【０２３４】
特徴および要素が上記で特定の組み合わせで提供されているが、当業者は、各特徴または要素が、単独でまたは他の特徴および要素との任意の組み合わせで使用され得ることを認識するであろう。本開示は、様々な態様の例示として意図される、本出願において説明される特定の実施形態に関して限定されるものではない。当業者には明らかであるように、その趣旨および範囲から逸脱することなく、多数の修正および変形が行われてよい。本出願の説明において使用される要素、行為、または命令は、そのようなものとして明示的に提供されない限り、本発明にとって重要または不可欠でないと解釈されるべきである。本明細書において列挙されたそれらに加えて、本開示の範囲内の機能的に等価な方法および装置は、前述の説明から当業者に明らかであろう。そのような修正および変形は、添付の特許請求の範囲内に含まれることが意図される。本開示は、そのような特許請求の範囲に与えられる等価物の全範囲と共に、添付の特許請求の範囲の項のみによって限定されるべきである。本開示は、特定の方法またはシステムに限定されないことが理解されるべきである。
【０２３５】
本明細書において使用される用語は、特定の実施形態について説明することのみを目的としており、限定することを意図したものではないことも、理解されるべきである。本明細書で使用される場合、本明細書において参照されるとき、「局」という用語およびその略語「ＳＴＡ」、「ユーザ機器」およびその略語「ＵＥ」は、（ｉ）以下で説明されるものなどの、ワイヤレス送信および／または受信ユニット（ＷＴＲＵ）、（ｉｉ）以下で説明されるものなどの、ＷＴＲＵのいくつかの実施形態のいずれか、（ｉｉｉ）以下で説明されるものなどの、とりわけ、ＷＴＲＵのいくつかもしくはすべての構造および機能性を有して構成されたワイヤレス対応および／もしくはワイヤード対応（たとえばテザリング可能）デバイス、（ｉｉｉ）以下で説明されるものなどの、ＷＴＲＵのすべてではない構造および機能を有して構成されたワイヤレス対応および／もしくはワイヤード対応デバイス、または（ｉｖ）同様のものを意味してよい。本明細書に記載される任意のＵＥを表し得る、例示的なＷＴＲＵの詳細は、以下で図１Ａ〜図１Ｄを参照して提供される。
【０２３６】
特定の代表的な実施形態では、本明細書に説明される主題のいくつかの部分は、特定用途向け集積回路（ＡＳＩＣ）、フィールドプログラマブルゲートアレイ（ＦＰＧＡ）、デジタル信号プロセッサー（ＤＳＰ）、および／または他の統合された形式を介して実装されてよい。しかしながら、本明細書に開示される実施形態のいくつかの態様は、全体的にまたは部分的に、１つもしくは複数のコンピュータ上で稼働する１つもしくは複数のコンピュータプログラムとして（たとえば、１つもしくは複数のコンピュータシステム上で稼働する１つもしくは複数のプログラムとして）、１つもしくは複数のプロセッサー上で稼働する１つもしくは複数のプログラムとして（たとえば、１つもしくは複数のマイクロプロセッサー上で稼働する１つもしくは複数のプログラムとして）、ファームウェアとして、またはそれらの事実上あらゆる組み合わせとして、集積回路において等価に実装されてよいことと、回路を設計することならびに／またはソフトウェアおよび／もしくはファームウェアのコードを記述することとは、本開示に鑑みて十分に当業者の技能の範囲内であることを、当業者は認識するであろう。さらに、本明細書において説明される主題の機構は、プログラム製品として様々な形態で配布されてよいことと、本明細書において説明される主題の例示的実施形態は、配布を実際に行うために使用される特定のタイプの信号伝達媒体に関係なく適用されることを、当業者は認識するであろう。信号伝達媒体の例は、以下に限定されないが、フロッピーディスク、ハードディスクドライブ、ＣＤ、ＤＶＤ、デジタルテープ、コンピュータメモリなどの記録可能タイプ媒体、ならびに、デジタル通信媒体および／またはアナログ通信媒体（たとえば、光ファイバケーブル、導波路、ワイヤード通信リンク、ワイヤレス通信リンクなど）などの伝送タイプ媒体を含む。
【０２３７】
本明細書において説明される主題は、異なる他の構成要素内に含まれた、またはこれと接続された、異なる構成要素を示すときがある。そのような示されたアーキテクチャは例にすぎないこと、および実際には、同じ機能性を達成する多くの他のアーキテクチャが実装され得ることが理解されるべきである。概念的な意味で、同じ機能性を達成する構成要素の任意の構成は、所望の機能性が達成され得るように効果的に「関連付けられる」。したがって、特定の機能性を達成するために組み合わされた、本明細書における任意の２つの構成要素は、アーキテクチャまたは中間構成要素にかかわらず、所望の機能性が達成されるように、互い「に関連付けられる」とみなされてよい。同様に、そのように関連付けられた任意の２つの構成要素は、所望の機能性を達成するために、互いに「動作可能に接続される」または「動作可能に結合される」とみなされてもよく、そのように関連付けられることが可能である任意の２つの構成要素は、所望の機能性を達成するために、互いに「動作可能に結合可能である」とみなされてもよい。動作可能に結合可能の具体例は、以下に限定されないが、物理的にかみ合わせ可能および／もしくは物理的に相互作用する構成要素、ならびに／またはワイヤレスで相互作用可能および／もしくはワイヤレスで相互作用する構成要素、ならびに／または論理的に相互作用するおよび／もしくは論理的に相互作用可能な構成要素を含む。
【０２３８】
本明細書における実質的にあらゆる複数形および／または単数形の用語の使用に関して、当業者は、状況および／または適用例に適切であるように、複数形から単数形および／または単数形から複数形に変換することができる。様々な単数形／複数形の置き換えは、明瞭にするために、本明細書で明確に説明され得る。
【０２３９】
一般に、本明細書において、特に添付の特許請求の範囲（たとえば、添付の特許請求の範囲の本体）において使用される用語は、一般に、「オープンな」用語として意図されること（たとえば、「含んでいる」という用語は、「限定するものではないが含んでいる」と解釈されるべきであり、「有する」という用語は、「少なくとも有する」と解釈されるべきであり、「含む」という用語は、「限定するものではないが含む」と解釈されるべきであることなど）が、当業者によって理解されるであろう。導入された請求項の特定の数の記載が意図される場合、そのような意図は、請求項において明示的に記載され、そのような記載の欠如の場合は、そのような意図は存在しないことが、当業者によってさらに理解されるであろう。たとえば、１つの項目のみが意図される場合、「単一の」という用語または類似の文言が使用され得る。理解の一助として、以下の添付の特許請求の範囲および／または本明細書における説明は、請求項記載を導入する「少なくとも１つの」および「１つまたは複数の」という導入句の使用法を含んでよい。しかしながら、そのような句の使用は、同じ請求項が、「１つまたは複数の」または「少なくとも１つの」という導入句および「ａ」または「ａｎ」などの不定冠詞を含むときですら、不定冠詞「ａ」または「ａｎ」による請求項記載の導入が、そのような導入された請求項記載を含む任意の特定の請求項を、１つのそのような記載のみを含む実施形態に限定することを暗示すると解釈されるべきではない（たとえば、「ａ」および／または「ａｎ」は、「少なくとも１つの」または「１つまたは複数の」を意味すると解釈されるべきである）。同じことが、請求項記載を導入するために使用される定冠詞の使用にも当てはまる。さらに、導入された請求項の特定の数の記載が明示的に記載されている場合ですら、そのような記載は、少なくとも記載された数を意味すると解釈されるべきである（たとえば、他の修飾語なしの「２つの記載」の飾りのない記載は、少なくとも２つの記載、または２つ以上の記載を意味する）ことを当業者は認識するであろう。
【０２４０】
そのうえ、「Ａ、Ｂ、およびＣなどのうちの少なくとも１つ」に類似した慣例が使用される例では、一般に、そのような構造は、当業者がその慣例を理解するであろう意味で意図されている（たとえば、「Ａ、Ｂ、およびＣのうちの少なくとも１つを有するシステム」は、限定するものではないが、Ａ単独、Ｂ単独、Ｃ単独、ＡとＢを共に、ＡとＣを共に、ＢとＣを共に、および／またはＡとＢとＣとを共に、などを有するシステムを含むであろう）。「Ａ、Ｂ、またはＣなどのうちの少なくとも１つ」に類似した慣例が使用される例では、一般に、そのような構造は、当業者がその慣例を理解するであろう意味で意図されている（たとえば、「Ａ、Ｂ、またはＣのうちの少なくとも１つを有するシステム」は、限定するものではないが、Ａ単独、Ｂ単独、Ｃ単独、ＡとＢを共に、ＡとＣを共に、ＢとＣを共に、および／またはＡとＢとＣとを共に、などを有するシステムを含むであろう）。２つ以上の代替用語を提示する事実上すべての離接する語および／または句は、明細書にあろうと、特許請求の範囲にあろうと、または図面にあろうと、用語のうちの１つ、用語のどちらか、または両方の用語を含む可能性を企図すると理解されるべきであることが、当業者によってさらに理解されるであろう。たとえば、「ＡまたはＢ」という句は、「Ａ」または「Ｂ」または「ＡおよびＢ」の可能性を含むことが理解されよう。さらに、複数の項目および／または項目の複数のカテゴリのリストに続く「のいずれか」という用語は、本明細書において使用される場合、個々に、または他の項目および／もしくは項目の他のカテゴリと共に、項目および／または項目のカテゴリ「のいずれか」、これら「の任意の組み合わせ」、これら「のうちの任意の複数」、および／またはこれら「のうちの複数の任意の組み合わせ」を含むことが意図されている。さらに、本明細書において使用される場合、「セット」または「グループ」という用語は、ゼロを含む任意の数の項目を含むことが意図されている。加えて、本明細書において使用される場合、「数」という用語は、ゼロを含む任意の数を含むことが意図されている。
【０２４１】
さらに、本開示の特徴または態様がマーカッシュグループに関して説明される場合、当業者は、それによって本開示はマーカッシュグループの任意の個々の要素または要素のサブグループに関しても説明されることを認識するであろう。
【０２４２】
当業者によって理解されるように、記述された明細書を提供することなどに関するあらゆる目的のために、本明細書に開示されるすべての範囲は、あらゆる可能な部分範囲およびその部分範囲の組み合わせも包含する。リストされたすべての範囲は、同じ範囲が少なくとも等しい２分の１、３分の１、４分の１、５分の１、１０分の１などに分解されることについて十分に説明し可能にすると容易に認識され得る。非限定的な例として、本明細書において論じられる各範囲は、下位３分の１、中位３分の１、および上位３分の１などに容易に分解され得る。同じく当業者によって理解されるように、「まで」、「少なくとも」、「よりも大きい」、「よりも小さい」などのすべての文言は、記載された数を含み、上記で論じられたようにその後に部分範囲に分解できる範囲を指す。最後に、当業者によって理解されるように、範囲は各個々の要素を含む。したがって、たとえば、１〜３つのセルを有するグループは、１つ、２つ、または３つのセルを有するグループを指す。同様に、１〜５つのセルを有するグループは、１つ、２つ、３つ、４つ、または５つのセルを有するグループを指し、以下同様である。
【０２４３】
さらに、特許請求の範囲は、その旨が述べられていない限り、提供された順序または要素に限定されると解釈されるべきではない。さらに、あらゆる請求項における「ための手段」という用語の使用は、米国特許法第１１２条第６項すなわちミーンズプラスファンクション請求項形式を行使することが意図されており、「ための手段」という用語のないあらゆる請求項は、そのように意図されていない。
【０２４４】
ソフトウェアに関連するプロセッサーは、ワイヤレス送信受信ユニット（ＷＴＲＵ）、ユーザ機器（ＵＥ）、端末、基地局、モビリティ管理エンティティ（ＭＭＥ）もしくは進化型パケットコア（ＥＰＣ）、または任意のホストコンピュータにおいて使用するための無線周波数トランシーバーを実装するために使用されてよい。ＷＴＲＵは、ソフトウェア無線（ＳＤＲ）を含むハードウェアおよび／またはソフトウェアにおいて実装されるモジュール、ならびにカメラ、ビデオカメラモジュール、テレビ電話、スピーカフォン、振動デバイス、スピーカ、マイクロホン、テレビジョントランシーバー、ハンズフリーヘッドセット、キーボード、ブルートゥース（登録商標）モジュール、周波数変調（ＦＭ）無線ユニット、近距離通信（ＮＦＣ）モジュール、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）もしくは超広帯域（ＵＷＢ）モジュールなどの他の構成要素と共に使用されてよい。
【０２４５】
本発明は、通信システムに関して説明されてきたが、システムがマイクロプロセッサー／汎用コンピュータ（図示せず）上のソフトウェアにおいて実装されてよいことが企図されている。特定の実施形態では、様々な構成要素の機能のうちの１つまたは複数は、汎用コンピュータを制御するソフトウェアにおいて実装されてよい。
【０２４６】
さらに、本発明は、本明細書において特定の実施形態を参照して図示および説明されているが、本発明は、示される詳細に限定されることを意図したものではない。むしろ、特許請求の範囲の等価物の範囲内で、本発明から逸脱することなく、様々な修正が詳細に行われてよい。
【０２４７】
本開示全体を通じて、当業者は、特定の代表的な実施形態が、代替形態において使用されてもよいし、他の代表的な実施形態と組み合わせて使用されてもよいことを理解する。
【０２４８】
特徴および要素が特定の組み合わせで上記に説明されているが、各特徴または要素は単独でまたは他の特徴および要素との任意の組み合わせで使用され得ることは、当業者には認識されよう。加えて、本明細書で説明された方法は、コンピュータまたはプロセッサーによる実行のためにコンピュータ可読媒体に組み込まれたコンピュータプログラム、ソフトウェア、またはファームウェアで実装されてもよい。非一時的コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクまたは取り外し可能なディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアに関連するプロセッサーが、ＷＴＲＵ、ＵＥ、端末、基地局、ＲＮＣ、または任意のホストコンピュータで使用する無線周波数トランシーバーを実装するために使用され得る。
【０２４９】
さらに、上述された実施形態では、処理プラットフォーム、コンピューティングシステム、コントローラ、およびプロセッサーを含む他のデバイスが言及されている。これらのデバイスは、少なくとも１つの中央処理装置（「ＣＰＵ」）、およびメモリを含んでよい。コンピュータプログラミングの当業者の慣習によれば、動作または命令の行為および記号表現の参照は、様々なＣＰＵおよびメモリによって実行されてよい。そのような行為および動作または命令は、「実行される」、「コンピュータにより実行される」、または「ＣＰＵにより実行される」と呼ばれることがある。
【０２５０】
当業者は、行為および記号表現された動作または命令が、ＣＰＵによる電気信号の操作を含むことを認識するであろう。電気システムは、データビットを表し、データビットは、電気信号の結果の変換または低減、およびメモリシステム内のメモリ位置におけるデータビットの維持を引き起こし、それによりＣＰＵの動作を再構成しまたは別の方法で変更し、また信号の他の処理を引き起こすことができる。データビットが維持されるメモリ位置は、データビットに対応するまたはこれを表す、特定の電気的、磁気的、光学的、または有機的性質を有する物理的位置である。
【０２５１】
データビットは、磁気ディスク、光ディスク、およびＣＰＵによって読み取り可能な他の任意の揮発性（たとえば、ランダムアクセスメモリ（「ＲＡＭ」））または不揮発性（たとえば、読み出し専用メモリ（「ＲＯＭ」））の大容量記憶システムを含むコンピュータ可読媒体上で維持されてもよい。コンピュータ可読媒体は、協働するまたは相互接続されたコンピュータ可読媒体を含んでよく、これらのコンピュータ可読媒体は、もっぱら処理システム上に存在する、または処理システムに対してローカルであってもよいしリモートであってもよい複数の相互接続された処理システムの間で分散される。代表的な実施形態は上述されたメモリに限定されないこと、ならびに他のプラットフォームおよびメモリが、説明された方法をサポートしてよいことが理解される。
【０２５２】
適切なプロセッサーは、例として、汎用プロセッサー、専用プロセッサー、従来のプロセッサー、デジタル信号プロセッサー（ＤＳＰ）、複数のマイクロプロセッサー、ＤＳＰコアと関連する１つもしくは複数のマイクロプロセッサー、コントローラ、マイクロコントローラ、特定用途向け集積回路（ＡＳＩＣ）、特定用途向け標準品（ＡＳＳＰ）、フィールドプログラマブルゲートアレイ（ＦＰＧＡ）回路、他の任意のタイプの集積回路（ＩＣ）、および／または状態機械を含む。
【０２５３】
本発明は、通信システムに関して説明されてきたが、システムがマイクロプロセッサー／汎用コンピュータ（図示せず）上のソフトウェアにおいて実装されてよいことが企図されている。特定の実施形態では、様々な構成要素の機能のうちの１つまたは複数は、汎用コンピュータを制御するソフトウェアにおいて実装されてよい。
【０２５４】
さらに、本発明は、本明細書において特定の実施形態を参照して図示および説明されているが、本発明は、示される詳細に限定されることを意図したものではない。むしろ、特許請求の範囲の等価物の範囲内で、本発明から逸脱することなく、様々な修正が詳細に行われてよい。
【図１Ａ】
2020523867.tif 000003
【図１Ｂ】
2020523867.tif 000004
【図１Ｃ】
2020523867.tif 000005
【図１Ｄ】
2020523867.tif 000006
【図２】
2020523867.tif 000007
【図３】
2020523867.tif 000008
【図４】
2020523867.tif 000009
【図５】
2020523867.tif 000010
【図６】
2020523867.tif 000011
【図７】
2020523867.tif 000012
【図８】
2020523867.tif 000013
【図９】
2020523867.tif 000014
【図１０】
2020523867.tif 000015
【国際調査報告】
2020523867.tif 000016
2020523867.tif 000017